(57)【要約】【課題】情報機器を含めた建物におけるエネルギー消費の制御に関わる有効なエネルギー管理装置、管理システム及び消費電力監視方法を提供することである。【解決手段】実施形態のエネルギー管理装置は、少なくとも一の情報機器に関する情報機器情報を記憶する第１の記憶部を有する情報機器管理装置を具備する管理システムにて利用される。エネルギー管理装置は、第１の取得部と、受信部と、制御部と、第２の取得部と、第２の記憶部と、を持つ。第１の取得部は、情報機器により消費される電力に関する第１の電力消費情報を情報機器管理装置から取得する。第２の記憶部は、区画との関係で第１の電力消費情報と、区画における設備機器により消費される電力に関する第２の電力消費情報とを記憶する。制御部は、複数のテナントのうち情報機器により消費される電力が所定値以下のテナントが使用する区画における設備機器により消費される電力を減らす制御を行う。【選択図】図２
2020167934.tif 000002
【特許請求の範囲】
【請求項１】
少なくとも一の情報機器に関する情報機器情報を記憶する第１の記憶部を有する情報機器管理装置を具備する管理システムにて利用されるエネルギー管理装置であって、
前記情報機器により消費される電力に関する第１の電力消費情報を前記情報機器管理装置から取得する第１の取得部と、
建物に係り複数のテナントが使用する区画それぞれに関し、各区画における人の検出に係る検出信号を受信する受信部と、
前記受信部により受信された前記検出信号に基づいて、前記区画における設備機器を制御する制御部と、
前記区画における設備機器により消費される電力に関する第２の電力消費情報を取得する第２の取得部と、
前記区画との関係で前記第１の電力消費情報と前記第２の電力消費情報とを記憶する第２の記憶部と、
を備え、
前記制御部は、前記複数のテナントのうち前記情報機器により消費される電力が所定値以下のテナントが使用する前記区画における前記設備機器により消費される電力を減らす制御を行う、
エネルギー管理装置。
【請求項２】
少なくとも一の情報機器に関する情報機器情報を記憶する第１の記憶部を有する情報機器管理装置を具備する管理システムにて利用されるエネルギー管理装置であって、
前記情報機器により消費される電力に関する第１の電力消費情報を前記情報機器管理装置から取得する第１の取得部と、
建物に係り複数のテナントが使用する区画それぞれに関し、各区画における人の検出に係る検出信号を受信する受信部と、
前記受信部により受信された前記検出信号に基づいて、前記区画における設備機器を制御する制御部と、
前記区画における設備機器により消費される電力に関する第２の電力消費情報を取得する第２の取得部と、
前記区画との関係で前記第１の電力消費情報と前記第２の電力消費情報とを記憶する第２の記憶部と、
を備え、
前記制御部は、前記複数のテナントのうち前記情報機器により消費される電力が所定値以上のテナントが使用する前記区画における前記設備機器により消費される電力を減らす制御を行う、
エネルギー管理装置。
【請求項３】
少なくとも一の情報機器に関する情報機器情報を記憶する第１の記憶部を有する情報機器管理装置を具備する管理システムにて利用されるエネルギー管理装置であって、
前記情報機器により消費される電力に関する第１の電力消費情報を前記情報機器管理装置から取得する第１の取得部と、
建物に係る複数のゾーンに関し、各ゾーンにおける人の検出に係る検出信号を受信する受信部と、
前記受信部により受信された前記検出信号に基づいて、前記ゾーンの設備機器を制御する制御部と、
前記ゾーンの設備機器により消費される電力に関する第２の電力消費情報を取得する第２の取得部と、
前記ゾーンとの関係で前記第１の電力消費情報と前記第２の電力消費情報とを記憶する第２の記憶部と、
を備え、
前記制御部は、前記情報機器により消費される電力が所定値以下の前記ゾーンにおける前記設備機器により消費される電力を減らす制御を行う、
エネルギー管理装置。
【請求項４】
少なくとも一の情報機器に関する情報機器情報を記憶する第１の記憶部を有する情報機器管理装置を具備する管理システムにて利用されるエネルギー管理装置であって、
前記情報機器により消費される電力に関する第１の電力消費情報を前記情報機器管理装置から取得する第１の取得部と、
建物に係る複数のゾーンに関し、各ゾーンにおける人の検出に係る検出信号を受信する受信部と、
前記受信部により受信された前記検出信号に基づいて、前記ゾーンの設備機器を制御する制御部と、
前記ゾーンの設備機器により消費される電力に関する第２の電力消費情報を取得する第２の取得部と、
前記ゾーンとの関係で前記第１の電力消費情報と前記第２の電力消費情報とを記憶する第２の記憶部と、
を備え、
前記制御部は、前記情報機器により消費される電力が所定値以上の前記ゾーンにおける前記設備機器により消費される電力を減らす制御を行う、
エネルギー管理装置。
【請求項５】
前記制御部は、前記第２の記憶部に記憶されている前記第１の電力消費情報及び前記第２の電力消費情報と、前記検出信号とに基づいて、前記設備機器を制御する、
請求項１から請求項４の何れか一項に記載のエネルギー管理装置。
【請求項６】
請求項１から請求項５のいずれか一項に記載のエネルギー管理装置と、
前記情報機器管理装置と、
を備え、
前記情報機器管理装置は、
前記第１の電力消費情報を前記情報機器から取得する第３の取得部と、
前記第３の取得部により取得された前記第１の電力消費情報を前記エネルギー管理装置へ送信する通信部と、を有する、
管理システム。
【請求項７】
少なくとも一の情報機器に関する情報機器情報を記憶する第１の記憶部を有する情報機器管理装置を具備する管理システムにて利用されるエネルギー管理装置が行う消費電力監視方法であって、
前記情報機器により消費される電力に関する第１の電力消費情報を前記情報機器管理装置から取得する第１の取得ステップと、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
を有し、
前記制御ステップでは、前記複数のテナントのうち前記情報機器により消費される電力が所定値以下のテナントが使用する前記区画における前記設備機器により消費される電力を減らす制御が行われる、
消費電力監視方法。
【請求項８】
少なくとも一の情報機器に関する情報機器情報を記憶する第１の記憶部を有する情報機器管理装置を具備する管理システムにて利用されるエネルギー管理装置が行う消費電力監視方法であって、
前記情報機器により消費される電力に関する第１の電力消費情報を前記情報機器管理装置から取得する第１の取得ステップと、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
を有し、
前記制御ステップでは、前記複数のテナントのうち前記情報機器により消費される電力が所定値以上のテナントが使用する前記区画における前記設備機器により消費される電力を減らす制御が行われる、
消費電力監視方法。
【請求項９】
少なくとも一の情報機器に関する情報機器情報を記憶する第１の記憶部を有する情報機器管理装置を具備する管理システムにて利用されるエネルギー管理装置が行う消費電力監視方法であって、
前記情報機器により消費される電力に関する第１の電力消費情報を前記情報機器管理装置から取得する第１の取得ステップと、
建物に係る複数のゾーンに関し、各ゾーンにおける人の検出に係る検出信号を受信する第１の受信ステップと、
前記第１の受信ステップにおいて受信された前記検出信号に基づいて、前記ゾーンの設備機器を制御する制御ステップと、
前記ゾーンの設備機器により消費される電力に関する第２の電力消費情報を取得する第２の取得ステップと、
前記ゾーンとの関係で前記第１の電力消費情報と前記第２の電力消費情報とを第２の記憶部に記憶させる記憶ステップと、
を有し、
前記制御ステップでは、前記情報機器により消費される電力が所定値以下の前記ゾーンにおける前記設備機器により消費される電力を減らす制御が行われる、
消費電力監視方法。
【請求項１０】
少なくとも一の情報機器に関する情報機器情報を記憶する第１の記憶部を有する情報機器管理装置を具備する管理システムにて利用されるエネルギー管理装置が行う消費電力監視方法であって、
前記情報機器により消費される電力に関する第１の電力消費情報を前記情報機器管理装置から取得する第１の取得ステップと、
建物に係る複数のゾーンに関し、各ゾーンにおける人の検出に係る検出信号を受信する第１の受信ステップと、
前記第１の受信ステップにおいて受信された前記検出信号に基づいて、前記ゾーンの設備機器を制御する制御ステップと、
前記ゾーンの設備機器により消費される電力に関する第２の電力消費情報を取得する第２の取得ステップと、
前記ゾーンとの関係で前記第１の電力消費情報と前記第２の電力消費情報とを第２の記憶部に記憶させる記憶ステップと、
を有し、
前記制御ステップでは、前記情報機器により消費される電力が所定値以上の前記ゾーンにおける前記設備機器により消費される電力を減らす制御を行う、
消費電力監視方法。
【請求項１１】
少なくとも一の情報機器に関する情報機器情報を記憶する第１の記憶部を有する情報機器管理装置を具備する管理システムにて利用されるエネルギー管理装置が備えるコンピュータに、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記検出信号に基づいて選択した前記テナントが使用する前記区画に係る前記情報機器により消費される電力に関する第１の電力消費情報を前記情報機器管理装置へ要求し、前記第１の電力消費情報を取得する第１の取得ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
を実行させるためのプログラム。
【請求項１２】
少なくとも一の情報機器に関する情報機器情報を記憶する第１の記憶部を有する情報機器管理装置を具備する管理システムにて利用されるエネルギー管理装置が備えるコンピュータに、
前記情報機器により消費される電力に関する第１の電力消費情報を前記情報機器管理装置から取得する第１の取得ステップと、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
を実行させ、
前記制御ステップでは、前記複数のテナントのうち前記情報機器により消費される電力が所定値以下のテナントが使用する前記区画における前記設備機器により消費される電力を減らす制御を実行させる、
ためのプログラム。
【請求項１３】
少なくとも一の情報機器に関する情報機器情報を記憶する第１の記憶部を有する情報機器管理装置を具備する管理システムにて利用されるエネルギー管理装置が備えるコンピュータに、
前記情報機器により消費される電力に関する第１の電力消費情報を前記情報機器管理装置から取得する第１の取得ステップと、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
を実行させ、
前記制御ステップでは、前記複数のテナントのうち前記情報機器により消費される電力が所定値以上のテナントが使用する前記区画における前記設備機器により消費される電力を減らす制御を実行させる、
ためのプログラム。
【請求項１４】
少なくとも一の情報機器に関する情報機器情報を記憶する第１の記憶部を有する情報機器管理装置を具備する管理システムにて利用されるエネルギー管理装置が備えるコンピュータに、
前記情報機器により消費される電力に関する第１の電力消費情報を前記情報機器管理装置から取得する第１の取得ステップと、
建物に係る複数のゾーンに関し、各ゾーンにおける人の検出に係る検出信号を受信する受信ステップと、
前記受信ステップにおいて受信された検出信号に基づいて、前記ゾーンの設備機器を制御する制御ステップと、
前記ゾーンの設備機器により消費される電力に関する第２の電力消費情報を取得する第２の取得ステップと、
前記ゾーンとの関係で前記第１の電力消費情報と前記第２の電力消費情報とを第２の記憶部に記憶させる記憶ステップと、
を実行させ、
前記制御ステップでは、前記情報機器により消費される電力が所定値以下の前記ゾーンにおける前記設備機器により消費される電力を減らす制御を実行させる、
ためのプログラム。
【請求項１５】
少なくとも一の情報機器に関する情報機器情報を記憶する第１の記憶部を有する情報機器管理装置を具備する管理システムにて利用されるエネルギー管理装置が備えるコンピュータに、
前記情報機器により消費される電力に関する第１の電力消費情報を前記情報機器管理装置から取得する第１の取得ステップと、
建物に係る複数のゾーンに関し、各ゾーンにおける人の検出に係る検出信号を受信する受信ステップと、
前記受信ステップにおいて受信された検出信号に基づいて、前記ゾーンの設備機器を制御する制御ステップと、
前記ゾーンの設備機器により消費される電力に関する第２の電力消費情報を取得する第２の取得ステップと、
前記ゾーンとの関係で前記第１の電力消費情報と前記第２の電力消費情報とを第２の記憶部に記憶させる記憶ステップと、
を実行させ、
前記制御ステップでは、前記情報機器により消費される電力が所定値以上の前記ゾーンにおける前記設備機器により消費される電力を減らす制御を実行させる、
ためのプログラム。
【請求項１６】
少なくとも一の情報機器に関する情報機器情報を記憶する第１の記憶部を有する情報機器管理装置を具備する管理システムにて利用されるエネルギー管理装置であって、
前記情報機器により消費される電力に関する第１の電力消費情報を前記情報機器管理装置から取得する第１の取得部と、
建物に係り複数のテナントが使用する区画それぞれに関し、各区画における人の検出に係る検出信号を受信する受信部と、
前記受信部により受信された前記検出信号に基づいて、前記区画における設備機器を制御する制御部と、
前記区画における設備機器により消費される電力に関する第２の電力消費情報を取得する第２の取得部と、
前記区画との関係で前記第１の電力消費情報と前記第２の電力消費情報とを記憶する第２の記憶部と、
前記第２の記憶部に記憶されている前記第１の電力消費情報と前記第２の電力消費情報とを外部からの要求に応じて出力する出力部と、
を備え、
前記制御部は、前記複数のテナントのうち前記情報機器により消費される電力が所定値以下のテナントが使用する前記区画における前記設備機器により消費される電力を減らす制御を行う、
エネルギー管理装置。
【請求項１７】
少なくとも一の情報機器に関する情報機器情報を記憶する第１の記憶部を有する情報機器管理装置を具備する管理システムにて利用されるエネルギー管理装置であって、
前記情報機器により消費される電力に関する第１の電力消費情報を前記情報機器管理装置から取得する第１の取得部と、
建物に係り複数のテナントが使用する区画それぞれに関し、各区画における人の検出に係る検出信号を受信する受信部と、
前記受信部により受信された前記検出信号に基づいて、前記区画における設備機器を制御する制御部と、
前記区画における設備機器により消費される電力に関する第２の電力消費情報を取得する第２の取得部と、
前記区画との関係で前記第１の電力消費情報と前記第２の電力消費情報とを記憶する第２の記憶部と、
前記第２の記憶部に記憶されている前記第１の電力消費情報と前記第２の電力消費情報とを外部からの要求に応じて出力する出力部と、
を備え、
前記制御部は、前記複数のテナントのうち前記情報機器により消費される電力が所定値以上のテナントが使用する前記区画における前記設備機器により消費される電力を減らす制御を行う、
エネルギー管理装置。
【請求項１８】
少なくとも一の情報機器に関する情報機器情報を記憶する第１の記憶部を有する情報機器管理装置を具備する管理システムにて利用されるエネルギー管理装置であって、
前記情報機器により消費される電力に関する第１の電力消費情報を前記情報機器管理装置から取得する第１の取得部と、
建物に係る複数のゾーンに関し、各ゾーンにおける人の検出に係る検出信号を受信する受信部と、
前記受信部により受信された前記検出信号に基づいて、前記ゾーンの設備機器を制御する制御部と、
前記ゾーンの設備機器により消費される電力に関する第２の電力消費情報を取得する第２の取得部と、
前記ゾーンとの関係で前記第１の電力消費情報と前記第２の電力消費情報とを記憶する第２の記憶部と、
前記第２の記憶部に記憶されている前記第１の電力消費情報と前記第２の電力消費情報とを外部からの要求に応じて出力する出力部と、
を備え、
前記制御部は、前記情報機器により消費される電力が所定値以下の前記ゾーンにおける前記設備機器により消費される電力を減らす制御を行う、
エネルギー管理装置。
【請求項１９】
少なくとも一の情報機器に関する情報機器情報を記憶する第１の記憶部を有する情報機器管理装置を具備する管理システムにて利用されるエネルギー管理装置であって、
前記情報機器により消費される電力に関する第１の電力消費情報を前記情報機器管理装置から取得する第１の取得部と、
建物に係る複数のゾーンに関し、各ゾーンにおける人の検出に係る検出信号を受信する受信部と、
前記受信部により受信された前記検出信号に基づいて、前記ゾーンの設備機器を制御する制御部と、
前記ゾーンの設備機器により消費される電力に関する第２の電力消費情報を取得する第２の取得部と、
前記ゾーンとの関係で前記第１の電力消費情報と前記第２の電力消費情報とを記憶する第２の記憶部と、
前記第２の記憶部に記憶されている前記第１の電力消費情報と前記第２の電力消費情報とを外部からの要求に応じて出力する出力部と、
を備え、
前記制御部は、前記情報機器により消費される電力が所定値以上の前記ゾーンにおける前記設備機器により消費される電力を減らす制御を行う、
エネルギー管理装置。
【請求項２０】
前記制御部は、前記第２の記憶部に記憶されている前記第１の電力消費情報及び前記第２の電力消費情報と、前記検出信号とに基づいて、前記設備機器を制御する、
請求項１６から請求項１９の何れか一項に記載のエネルギー管理装置。
【請求項２１】
請求項１６から請求項２０のいずれか一項に記載のエネルギー管理装置と、
前記情報機器管理装置と、
を備え、
前記情報機器管理装置は、
前記第１の電力消費情報を前記情報機器から取得する第３の取得部と、
前記第３の取得部により取得された前記第１の電力消費情報を前記エネルギー管理装置へ送信する通信部と、を有する、
管理システム。
【請求項２２】
少なくとも一の情報機器に関する情報機器情報を記憶する第１の記憶部を有する情報機器管理装置を具備する管理システムにて利用されるエネルギー管理装置が行う消費電力監視方法であって、
前記情報機器により消費される電力に関する第１の電力消費情報を前記情報機器管理装置から取得する第１の取得ステップと、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を有し、
前記制御ステップでは、前記複数のテナントのうち前記情報機器により消費される電力が所定値以下のテナントが使用する前記区画における前記設備機器により消費される電力を減らす制御が行われる、
消費電力監視方法。
【請求項２３】
少なくとも一の情報機器に関する情報機器情報を記憶する第１の記憶部を有する情報機器管理装置を具備する管理システムにて利用されるエネルギー管理装置が行う消費電力監視方法であって、
前記情報機器により消費される電力に関する第１の電力消費情報を前記情報機器管理装置から取得する第１の取得ステップと、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を有し、
前記制御ステップでは、前記複数のテナントのうち前記情報機器により消費される電力が所定値以上のテナントが使用する前記区画における前記設備機器により消費される電力を減らす制御が行われる、
消費電力監視方法。
【請求項２４】
少なくとも一の情報機器に関する情報機器情報を記憶する第１の記憶部を有する情報機器管理装置を具備する管理システムにて利用されるエネルギー管理装置が行う消費電力監視方法であって、
前記情報機器により消費される電力に関する第１の電力消費情報を前記情報機器管理装置から取得する第１の取得ステップと、
建物に係る複数のゾーンに関し、各ゾーンにおける人の検出に係る検出信号を受信する第１の受信ステップと、
前記第１の受信ステップにおいて受信された前記検出信号に基づいて、前記ゾーンの設備機器を制御する制御ステップと、
前記ゾーンの設備機器により消費される電力に関する第２の電力消費情報を取得する第２の取得ステップと、
前記ゾーンとの関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を有し、
前記制御ステップでは、前記情報機器により消費される電力が所定値以下の前記ゾーンにおける前記設備機器により消費される電力を減らす制御が行われる、
消費電力監視方法。
【請求項２５】
少なくとも一の情報機器に関する情報機器情報を記憶する第１の記憶部を有する情報機器管理装置を具備する管理システムにて利用されるエネルギー管理装置が行う消費電力監視方法であって、
前記情報機器により消費される電力に関する第１の電力消費情報を前記情報機器管理装置から取得する第１の取得ステップと、
建物に係る複数のゾーンに関し、各ゾーンにおける人の検出に係る検出信号を受信する第１の受信ステップと、
前記第１の受信ステップにおいて受信された前記検出信号に基づいて、前記ゾーンの設備機器を制御する制御ステップと、
前記ゾーンの設備機器により消費される電力に関する第２の電力消費情報を取得する第２の取得ステップと、
前記ゾーンとの関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を有し、
前記制御ステップでは、前記情報機器により消費される電力が所定値以上の前記ゾーンにおける前記設備機器により消費される電力を減らす制御を行う、
消費電力監視方法。
【請求項２６】
少なくとも一の情報機器に関する情報機器情報を記憶する第１の記憶部を有する情報機器管理装置を具備する管理システムにて利用されるエネルギー管理装置が備えるコンピュータに、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記検出信号に基づいて選択した前記テナントが使用する前記区画に係る前記情報機器により消費される電力に関する第１の電力消費情報を前記情報機器管理装置へ要求し、前記第１の電力消費情報を取得する第１の取得ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を実行させるためのプログラム。
【請求項２７】
少なくとも一の情報機器に関する情報機器情報を記憶する第１の記憶部を有する情報機器管理装置を具備する管理システムにて利用されるエネルギー管理装置が備えるコンピュータに、
前記情報機器により消費される電力に関する第１の電力消費情報を前記情報機器管理装置から取得する第１の取得ステップと、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を実行させ、
前記制御ステップでは、前記複数のテナントのうち前記情報機器により消費される電力が所定値以下のテナントが使用する前記区画における前記設備機器により消費される電力を減らす制御を実行させる、
ためのプログラム。
【請求項２８】
少なくとも一の情報機器に関する情報機器情報を記憶する第１の記憶部を有する情報機器管理装置を具備する管理システムにて利用されるエネルギー管理装置が備えるコンピュータに、
前記情報機器により消費される電力に関する第１の電力消費情報を前記情報機器管理装置から取得する第１の取得ステップと、
建物に係り複数のテナントが使用する区画それぞれに関し、各区画における人の検出に係る検出信号を受信する受信ステップと、
前記受信ステップにおいて受信された前記検出信号に基づいて、前記区画における設備機器を制御する制御ステップと、
前記区画における設備機器により消費される電力に関する第２の電力消費情報を取得する第２の取得ステップと、
前記区画との関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を実行させ、
前記制御ステップでは、前記複数のテナントのうち前記情報機器により消費される電力が所定値以上のテナントが使用する前記区画における前記設備機器により消費される電力を減らす制御を実行させる、
ためのプログラム。
【請求項２９】
少なくとも一の情報機器に関する情報機器情報を記憶する第１の記憶部を有する情報機器管理装置を具備する管理システムにて利用されるエネルギー管理装置が備えるコンピュータに、
前記情報機器により消費される電力に関する第１の電力消費情報を前記情報機器管理装置から取得する第１の取得ステップと、
建物に係る複数のゾーンに関し、各ゾーンにおける人の検出に係る検出信号を受信する受信ステップと、
前記受信ステップにおいて受信された検出信号に基づいて、前記ゾーンの設備機器を制御する制御ステップと、
前記ゾーンの設備機器により消費される電力に関する第２の電力消費情報を取得する第２の取得ステップと、
前記ゾーンとの関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を実行させ、
前記制御ステップでは、前記情報機器により消費される電力が所定値以下の前記ゾーンにおける前記設備機器により消費される電力を減らす制御を実行させる、
ためのプログラム。
【請求項３０】
少なくとも一の情報機器に関する情報機器情報を記憶する第１の記憶部を有する情報機器管理装置を具備する管理システムにて利用されるエネルギー管理装置が備えるコンピュータに、
前記情報機器により消費される電力に関する第１の電力消費情報を前記情報機器管理装置から取得する第１の取得ステップと、
建物に係る複数のゾーンに関し、各ゾーンにおける人の検出に係る検出信号を受信する受信ステップと、
前記受信ステップにおいて受信された検出信号に基づいて、前記ゾーンの設備機器を制御する制御ステップと、
前記ゾーンの設備機器により消費される電力に関する第２の電力消費情報を取得する第２の取得ステップと、
前記ゾーンとの関係で前記第１の電力消費情報と前記第２の電力消費情報とを第２の記憶部に記憶させる記憶ステップと、
前記第２の記憶部に記憶されている前記第１の電力消費情報と前記第２の電力消費情報とを外部からの要求に応じて出力する出力ステップと、
を実行させ、
前記制御ステップでは、前記情報機器により消費される電力が所定値以上の前記ゾーンにおける前記設備機器により消費される電力を減らす制御を実行させる、
ためのプログラム。
【発明の詳細な説明】
【技術分野】
【０００１】
本発明の実施形態は、エネルギー管理装置、管理システム、消費電力監視方法及びプログラムに関する。
【背景技術】
【０００２】
オフィスビルなどの建物における消費エネルギーの削減の検討の結果、建物に設置された空調設備や照明装置等の設備機器により消費されるエネルギーの低減がなされてきている。しかし、近年は、建物全体で消費されるエネルギーの中でも、コンピュータやプリンタ、コピー機などの情報機器により消費されるエネルギーが占める割合が増加してきている。情報機器により消費されるエネルギーの削減は行われているところではあるが、その手法やソリューションは情報機器について独立に提供されることが多く、情報機器を含めた建物におけるエネルギー消費の制御に関わる有効な手段までは検討されていなかった。
【先行技術文献】
【特許文献】
【０００３】
【特許文献１】特開２０１５−０４１３７９号公報
【発明の概要】
【発明が解決しようとする課題】
【０００４】
本発明が解決しようとする課題は、情報機器を含めた建物におけるエネルギー消費の制御に関わる有効なエネルギー管理装置、管理システム、消費電力監視方法及びプログラムを提供することである。
【課題を解決するための手段】
【０００５】
実施形態のエネルギー管理装置は、少なくとも一の情報機器に関する情報機器情報を記憶する第１の記憶部を有する情報機器管理装置を具備する管理システムにて利用される。エネルギー管理装置は、第１の取得部と、受信部と、制御部と、第２の取得部と、第２の記憶部と、を持つ。第１の取得部は、情報機器により消費される電力に関する第１の電力消費情報を情報機器管理装置から取得する。受信部は、建物に係り複数のテナントが使用する区画それぞれに関し、各区画における人の検出に係る検出信号を受信する。制御部は、受信部により受信された検出信号に基づいて、区画における設備機器を制御する。第２の取得部は、区画における設備機器により消費される電力に関する第２の電力消費情報を取得する。第２の記憶部は、区画との関係で第１の電力消費情報と第２の電力消費情報とを記憶する。制御部は、複数のテナントのうち情報機器により消費される電力が所定値以下のテナントが使用する区画における設備機器により消費される電力を減らす制御を行う。
【図面の簡単な説明】
【０００６】
【図１】第１の実施形態における管理システムの構成例を示すブロック図。
【図２】第１の実施形態におけるエネルギー管理サーバの構成例を示すブロック図。
【図３】第１の実施形態における検出結果テーブルの一例を示す図。
【図４】第１の実施形態における入退テーブルの一例を示す図。
【図５】第１の実施形態における建物内のゾーンの例を示す第１の図。
【図６】第１の実施形態における建物内のゾーンの例を示す第２の図。
【図７】第１の実施形態におけるゾーンテーブルの一例を示す図。
【図８】第１の実施形態における情報機器テーブルの一例を示す図。
【図９】第１の実施形態における設備機器テーブルの一例を示す図。
【図１０】第１の実施形態における情報機器管理サーバの構成例を示すブロック図。
【図１１】第１の実施形態における情報機器テーブルの一例を示す図。
【図１２】第１の実施形態における利用機器テーブルの一例を示す図。
【図１３】第１の実施形態におけるエネルギー管理サーバのハードウェア構成の一例を示すブロック図。
【図１４】第１の実施形態における監視端末のハードウェア構成の一例を示すブロック図。
【図１５】第１の実施形態の管理システム全体における動作を示す第１のシーケンス図。
【図１６】第１の実施形態の管理システム全体における動作を示す第２のシーケンス図。
【図１７】第１の実施形態の管理システムにおける他の構成例を示す図。
【図１８】第２の実施形態における管理システムの構成例を示すブロック図。
【図１９】第２の実施形態におけるエネルギー管理サーバの構成例を示すブロック図。
【図２０】第２の実施形態における検出結果テーブルの一例を示す図。
【図２１】第２の実施形態における入退テーブルの一例を示す図。
【図２２】第２の実施形態におけるテナントテーブルの位置例を示す図。
【図２３】第２の実施形態における建物内のゾーンの例を示す第１の図。
【図２４】第２の実施形態における建物内のゾーンの例を示す第２の図。
【図２５】第２の実施形態におけるゾーンテーブルの一例を示す図。
【図２６】第２の実施形態における情報機器テーブルの一例を示す図。
【図２７】第２の実施形態における設備機器テーブルの一例を示す図。
【図２８】第２の実施形態における情報機器管理サーバの構成例を示すブロック図。
【図２９】第２の実施形態における情報機器テーブルの一例を示す図。
【図３０】第２の実施形態における利用機器テーブルの一例を示す図。
【図３１】第２の実施形態におけるエネルギー管理サーバのハードウェア構成の一例を示すブロック図。
【図３２】第２の実施形態の管理システム全体における動作を示す第１のシーケンス図。
【図３３】第２の実施形態の管理システム全体における動作を示す第２のシーケンス図。
【図３４】第２の実施形態の管理システムにおける他の構成例を示す図。
【発明を実施するための形態】
【０００７】
以下、図面を参照して、実施形態のエネルギー管理装置、管理システム、消費電力監視方法及びプログラムを説明する。なお、以下の実施形態では、同一の参照符号を付した部分は同様の動作を行うものとして、重複する説明を適宜省略する。
【０００８】
［第１の実施形態］
図１は、第１の実施形態における管理システムの構成例を示すブロック図である。管理システムは、建物に備えられた設備機器が消費するエネルギーと、建物において用いられる少なくとも一の情報機器が消費するエネルギーとを監視する。なお、以下の各実施形態における設備機器は、建物内に備える機器だけでなく、建物外に備える機器、例えば空調設備の室外機なども含む。情報機器についても同様である。管理システムが管理対象とする建物は、例えばオフィスビルなどである。以下の説明では、建物がオフィスビルの場合を説明するが、管理システムは、情報機器が利用される建物、例えば図書館、研究施設、大学の校舎などであってもよい。情報機器とは、デスクトップ型又はラップトップ型のパーソナルコンピュータ（ＰＣ）、プリンタ、コピー機、複合機、ＩＰ電話及びコンピュータ間を通信可能にするネットワーク機器などの、有線通信又は無線通信可能な機器である。
【０００９】
管理システムは、エネルギー管理サーバ１と情報機器管理サーバ５と監視端末１０とを備える。エネルギー管理サーバ１は、管理システムによるエネルギー削減対象の建物に設けられてもよいし、建物と異なる場所に設けられていてもよい。建物と異なる場所にエネルギー管理サーバ１が設けられる場合、エネルギー管理サーバ１は、有線回線又は無線回線のいずれか又は両方を用いて構成されたネットワークを介して、入退管理システム２と、建物に備えられる検出センサ３及び設備機器４と通信を行う。情報機器管理サーバ５も、エネルギー管理サーバ１と同様に、建物に設けられてもよいし、建物と異なる場所に設けられてもよい。また、エネルギー管理サーバ１と情報機器管理サーバ５との一方又は両方は、クラウドコンピューティングを利用して構成されてもよい。また、管理システムによるエネルギー削減対象の建物は、複数でもよく、複数のオフィスビル群や、ある区域内に建設された複数のビルなどであってもよい。
【００１０】
エネルギー管理サーバ１は、建物における入館及び退出に関する入退情報を、入退管理システム２から取得する。入退管理システム２は、管理対象の建物へ入館する人と建物から退出する人とを検出し、検出結果に基づいて入退情報を生成する。また、エネルギー管理サーバ１は、建物内に備えられた複数の検出センサ３それぞれから、人の検出に係る検出信号を取得する。以下、検出信号を在不在情報という。各検出センサ３は、建物に係る複数のゾーンそれぞれに備えられる。各検出センサ３は、ゾーンにおける人の有無を判定し、判定結果に基づいた在不在情報を生成する。在不在情報は、ゾーンを一意に識別するゾーンＩＤと、当該ゾーンにおける人の有無（「在」／「不在」）を示す情報とを含む。検出センサ３は、例えば画像センサや赤外線センサを備え、センサからの出力に基づいて人の有無又は人の移動を検出する。なお、検出センサ３の検出精度が高く人数を検出できる場合、検出センサ３は人の有無に代えて人数を示す在不在情報をエネルギー管理サーバ１へ通知してもよい。なお、在不在情報は、存在情報ともいう。
【００１１】
ゾーンは、建物内で利用される複数のＰＣ６及び複数の共用機器７の位置に基づいて、建物に係る所定の領域において定められる。ゾーンは、例えば建物の領域を分割して定められてもよいし、隣接するゾーン間で重複する部分領域が存在するように定められてもよい。また、ゾーンは、エネルギー削減の方針に基づいてグループ分けされた情報機器の位置に応じて定められてもよい。具体的には、建物の領域が建物内の各階のフロアである場合、フロアごとに１つ又は複数のゾーンが定められる。
【００１２】
エネルギー管理サーバ１は、入退管理システム２から取得する入退情報と、各検出センサ３から取得する在不在情報とに基づいて、各ゾーンに備えられている設備機器４を制御する。設備機器４は、建物に備えられる機器であって動作状態に応じて、直接的又は間接的に消費する電力が変化する機器である。設備機器４は、例えば照明装置や空調装置、吸排気ファン、給水ポンプ、給湯装置、窓に設けられるブラインドなどである。ブラインドは、定常的にエネルギーを消費する機器ではないが、ブラインドの開閉により窓からの日射を変化させ、空調装置などが消費する電力を間接的に変化させることができる機器である。
【００１３】
また、エネルギー管理サーバ１は、入退情報及び在不在情報を集計し、集計により得られたデータを集計結果として情報機器管理サーバ５へ送信する。エネルギー管理サーバ１は、情報機器管理サーバ５により制御される情報機器により消費される電力に関する第１の電力消費情報を取得する。エネルギー管理サーバ１は、設備機器により消費される電力に関する第２の電力消費情報を取得する。エネルギー管理サーバ１は、入退情報及び在不在情報に基づき、ゾーンとの関係で第１及び第２の電力消費情報を記憶する。
【００１４】
監視端末１０は、エネルギー管理サーバ１と通信可能に接続される。監視端末１０は、第１及び第２の電力消費情報に基づいてエネルギー管理サーバ１に記憶される情報を取得し、表示する。監視端末１０は、例えば、建物の管理者が使用する。管理者は、監視端末１０を操作することにより、建物に係り消費される電力を監視端末１０に表示させて、消費電力を確認、監視する。なお、図１には管理システムが監視端末１０を一つ備える場合を例示しているが、管理システムが複数の監視端末１０を備えてもよい。また、監視端末１０は、エネルギー管理サーバ１と同じ位置に設けられていてもよいし、異なる位置に設けられていてもよい。エネルギー管理サーバ１がクラウドコンピューティング利用して構成される場合、監視端末１０は、ネットワークを介して、エネルギー管理サーバ１を構成するコンピュータ・リソースにアクセスすることにより、情報を取得して表示する。
【００１５】
エネルギー管理サーバ１と情報機器管理サーバ５とは、通信可能に接続されている。エネルギー管理サーバ１と情報機器管理サーバ５とは、専用回線又はローカルエリアネットワークで接続されていてもよいし、インターネットを介して接続されていてもよい。インターネットを介してエネルギー管理サーバ１と情報機器管理サーバ５とが通信を行う場合には、エネルギー管理サーバ１と情報機器管理サーバ５とはＶＰＮ（Virtual Private Network）を利用して通信してもよい。
【００１６】
情報機器管理サーバ５は、建物内の各ゾーンにおける人の在不在や各人の建物への入退を集計結果から取得する。情報機器管理サーバ５は、各ゾーンにおける人に関する情報に基づいて、各ゾーンに属する情報機器を制御して、建物内における情報機器により消費される電力を削減する。情報機器とは、人が使用するＰＣ６や共用機器７である。ＰＣ６は、デスクトップ型又はラップトップ型のコンピュータである。共用機器７は、プリンタ、コピー機、複合機、コンピュータ間を通信可能にするハブ、スイッチや無線ＬＡＮアクセスポイントなどのネットワーク機器、ＩＰ電話などの複数の人が共用する機器である。また、情報機器管理サーバ５は、ＰＣ６及び共用機器７により消費される電力又は電力量を示す情報を取得し、取得した情報をエネルギー管理サーバ１へ送信する。建物内の各ゾーンには、少なくとも１つの検出センサ３と、１つ又は複数の設備機器４とが備えられる。また、建物内の各ゾーンには、ＰＣ６又は共用機器７のいずれか一方又は両方が少なくとも１つ以上属する。情報機器管理サーバ５と、ＰＣ６及び共用機器７とは、専用回線又はローカルエリアネットワークで接続されていてもよいし、インターネットを介して接続されていてもよい。情報機器管理サーバ５と、ＰＣ６及び共用機器７とがインターネットを介して通信する場合には、情報機器管理サーバ５と、ＰＣ６及び共用機器７とはＶＰＮを利用して通信してもよい。
【００１７】
図２は、第１の実施形態におけるエネルギー管理サーバ１の構成例を示すブロック図である。エネルギー管理サーバ１は、建物内データベース１１と、消費電力データベース１２と、データベース更新部１３と、データ処理部１４と、通信部１５と、設備機器制御部１６と、電源部１７とを備える。建物内データベース１１には、建物内における人に関する情報として、検出結果テーブル１１１と入退テーブル１１２とが記憶される。検出結果テーブル１１１には、各ゾーンにおける人の有無が記憶される。入退テーブル１１２には、建物を利用する人ごとの入退の状態、入館中又は退出のいずれかの状態が記憶される。消費電力データベース１２には、ゾーンテーブル１２１と、情報機器テーブル１２２と、設備機器テーブル１２３とが記憶される。ゾーンテーブル１２１には、設備機器４と、ＰＣ６及び共用機器７などの情報機器との消費電力に関する情報がゾーンごと記憶される。情報機器テーブル１２２には、ＰＣ６及び共用機器７などの情報機器の消費電力に関する情報が情報機器ごとに記憶される。設備機器テーブル１２３には、設備機器４の消費電力に関する情報が設備機器４ごとに記憶される。
【００１８】
図３は、第１の実施形態における検出結果テーブル１１１の一例を示す図である。検出結果テーブル１１１は、ゾーンＩＤの項目と、人の在不在の項目との列を含む。行はゾーンごとに存在する。ゾーンＩＤの項目には、ゾーンを一意に識別するゾーンＩＤ（例えば、ゾーン＃１）が記憶される。人の在不在の項目には、同じ行のゾーンＩＤが示すゾーンにおいて人の「在」／「不在」が記憶される。「在」は、少なくとも１人が検出されたことを示す。「不在」は、人が検出されなかったことを示す。例えば、図３の検出結果テーブル１１１は、ゾーン＃２で示されるゾーンには人が不在であることを記憶している。なお、図３には検出結果テーブル１１１が「ゾーンＩＤ」と「人の在不在」との２つの項目の列を有する例を示したが、検出結果テーブル１１１は他の項目の列を含んでもよい。例えば、「人の在不在」の項目が更新された「時刻」の列を含んでもよいし、検出センサ３が人数を検出できる場合には人数の列を含んでもよい。
【００１９】
図４は、第１の実施形態における入退テーブル１１２の一例を示す図である。入退テーブル１１２は、個人ＩＤの項目と、入退状態の項目との列を含む。行は建物に入退する人ごとに存在する。個人ＩＤの項目には、建物に入退する人を一意に識別する個人ＩＤ（例えば個人＃１）が記憶される。入退状態の項目には、同じ行の個人ＩＤにより示される人が建物に「入館中」であるか又は「退出」済みであるかが記憶される。例えば、図４の入退テーブル１１２は、個人ＩＤ＃２により識別される人が入館中であることを記憶している。なお、図４には入退テーブル１１２が「個人ＩＤ」と「入退状態」との２つの項目の列を有する例を示したが、入退テーブルは他の項目の列を含んでもよい。例えば、「入退状態」の項目が更新された「時刻」の列を含んでもよい。
【００２０】
ここで、建物内の領域を分割したゾーンについて説明する。図５及び図６は、第１の実施形態における建物内のゾーンの例を示す図である。図５及び図６には、オフィスで用いられるデスク及び椅子とデスクに備えられたＰＣとに基づいたゾーン分けの例が示されている。図５に示す例では、ＰＣが備えられたデスクの１つの集合ごとに１つのゾーンが定められており、オフィスが６つのゾーンＡ〜Ｆに分けられている。図６に示す例では、ＰＣが備えられたデスクの２つの集合ごとに１つのゾーンが定められており、オフィスが３つのゾーンＡ〜Ｃに分けられている。ゾーンは、ＰＣ６などの情報機器の位置に基づいて定められる。各ゾーンに備えられる検出センサ３としてのセンサは、例えば天井に取り付けられ、ゾーンにおける人の有無を検知する。
【００２１】
図７は、第１の実施形態におけるゾーンテーブル１２１の一例を示す図である。ゾーンテーブル１２１には、建物内の消費電力及び消費電力量がゾーンごとに記憶されている。各ゾーンの消費電力及び消費電力量は、設備機器４の消費電力及び消費電力量と、情報機器管理サーバ５により制御されるＰＣ６及び共用機器７などの情報機器の消費電力及び消費電力量と、に分けて記憶される。ゾーンテーブル１２１は、ゾーンＩＤと、ＰＣや共用機器などを含む情報機器の電力と、空調装置や照明装置などを含む設備機器の電力と、合計電力と、情報機器の電力量と、設備機器の電力量と、合計電力量との各項目の列を含む。行はゾーンごとに存在する。ゾーンＩＤの項目にはゾーンＩＤが記憶される。情報機器の電力の項目には、情報機器に含まれるＰＣや共用機器などの項目が含まれ、ＰＣや共用機器などが消費する電力の値が記憶される。設備機器の電力の項目には、設備機器に含まれる空調装置や照明装置などの項目が含まれ、空調装置や照明装置などが消費する電力の値が記憶される。合計電力の項目には、建物に備えられる情報機器と設備機器とが消費する電力の合計値が記憶される。情報機器の電力量の項目には、集計単位の期間において情報機器が消費した電力量の値が記憶される。設備機器の電力量の項目には、集計単位の期間において設備機器が消費した電力量の値が記憶される。
【００２２】
なお、図７に示すゾーンテーブル１２１では、情報機器を「ＰＣ」、「共用機器」及び「その他」に分けているが、情報機器に他の項目を含めてもよい。また、設備機器を「空調装置」、「照明装置」及び「その他」に分けているが、設備機器に他の項目を含めてもよい。また、ゾーンテーブル１２１におけるＰＣや共用機器が消費する電力の値は、ゾーンに属するＰＣや共用機器の消費電力を合計した値に代えて、個々のＰＣや共用機器が消費する電力の値であってもよい。また、情報機器、設備機器及び合計の電力量は、それぞれ時間、１２時間、１日、１週間を集計単位として複数の電力量が記憶されていてもよい。
【００２３】
図８は、第１の実施形態における情報機器テーブル１２２の一例を示す図である。情報機器テーブル１２２は、情報機器ＩＤ、消費電力、消費電力量、動作状態、使用電源及び履歴情報それぞれの項目の列を含む。行は情報機器ごとに存在する。情報機器ＩＤの項目には、ＰＣ６及び共用機器７などの情報機器を一意に識別する情報機器ＩＤ（例えば、ＰＣ＃１）が記憶される。ゾーンＩＤの項目には、同じ行の情報機器ＩＤが示す情報機器が属するゾーンを示すゾーンＩＤが記憶される。消費電力と消費電力量との項目には、同じ行の情報機器ＩＤが示す情報機器により消費された電力と電力量とがそれぞれ記憶される。
【００２４】
動作状態の項目には、同じ行の情報機器ＩＤが示す情報機器の動作状態を示す情報が記憶される。動作状態としては、例えば「オン」、「オフ」、「スリープ」などがある。「オン」は情報機器が稼動している状態であり、「オフ」は情報機器が停止している状態である。「スリープ」は、消費する電力が「オン」の状態に比べて少ない状態であって、情報機器が稼動する状態になるまでに要する時間が「オフ」の状態に比べて短い状態である。使用電源の項目には、同じ行の情報機器ＩＤが示す情報機器が使用している電源を示す情報が記憶される。電源としては、例えば「Battery」と「ＡＣ」とがある。「Battery」は情報機器が備える一次又は二次電池を電源として使用している状態であり、「ＡＣ」は情報機器の外部の電源、例えば商用電源を使用している状態である。
【００２５】
履歴情報の項目には、同じ行の情報機器ＩＤにより示される情報機器の動作状態が変化した履歴が記憶される。具体的には、この履歴は、動作状態が変化した時刻と変化後の動作状態との組み合わせの時系列を示す情報を含む。例えば、図８の情報機器テーブル１２２は、ＰＣ＃１で示される情報機器（ＰＣ６）がゾーン＃１で示されるゾーンに属し、当該情報機器の消費電力、消費電力量、動作状態、使用電源、履歴情報が、それぞれ「ｐｗ０１」、「ｅｅ０１」、「スリープ」、「Battery」、「ＸＸＸＸ」であることを記憶している。
【００２６】
図９は、第１の実施形態における設備機器テーブル１２３の一例を示す図である。設備機器テーブル１２３は、設備機器ＩＤ、ゾーンＩＤ、消費電力、消費電力量、動作状態、履歴情報それぞれの項目の列を含む。行は設備機器４ごとに存在する。設備機器ＩＤの項目には、設備機器４を一意に識別する設備機器ＩＤが記憶される。ゾーンＩＤの項目には、同じ行の設備機器ＩＤが示す設備機器４が備えられるゾーンを示すゾーンＩＤが記憶される。消費電力と消費電力量との項目には、同じ行の設備機器ＩＤが示す設備機器４により消費された電力と電力量とがそれぞれ記憶される。動作状態の項目には、同じ行の設備機器ＩＤが示す設備機器４の動作状態が記憶される。動作状態としては、例えば「オン」と「オフ」とがある。履歴情報の項目には、同じ行の設備機器ＩＤにより示される設備機器の動作状態が変化した履歴が記憶される。この履歴は、情報機器テーブル１２２における履歴情報と同様の情報である。例えば、図９の設備機器テーブル１２３は、設備機器＃２で示される設備機器４がゾーン＃１で示されるゾーンに属し、当該設備機器４の消費電力、消費電力量、動作状態、履歴情報が、それぞれ「ｐｗ１２」、「ｅｅ１２」、「オン」、「ＢＢＢＢ」であることを記憶している。
【００２７】
図２に戻り、エネルギー管理サーバ１の説明を続ける。データベース更新部１３は、入退管理システム２から入退情報を取得すると、入退情報に基づいて入退テーブル１１２を更新する。入退情報には、入館又は退出した人を一意に特定する個人ＩＤと、当該人が建物に入館したこと又は当該人が建物から退出したことのいずれかを示す情報とが含まれる。データベース更新部１３は、入退情報に含まれる個人ＩＤに対応付けられている入退テーブル１１２における状態（入館中又は退出）を、入退情報に基づいて更新する。また、データベース更新部１３は、各ゾーンそれぞれに備えられた検出センサ３から在不在情報を取得すると、在不在情報に基づいて検出結果テーブル１１１を更新する。在不在情報には、ゾーンを一意に特定するゾーンＩＤと、当該ゾーンにおける人の有無を示す情報とが含まれる。データベース更新部１３は、在不在情報に含まれるゾーンＩＤに対応付けられている人の在不在（「在」又は「不在」）を、在不在情報に基づいて更新する。
【００２８】
データ処理部１４は、データベース更新部１３により取得された在不在情報と、建物に係る複数のゾーンのゾーンＩＤとに基づいてデータを生成する。具体的には、データ処理部１４は、検出結果テーブル１１１及び入退テーブル１１２に記憶されている情報を収集し、情報に変更が生じたゾーンのゾーンＩＤ又は人の個人ＩＤを検出する。データ処理部１４は、一定の周期で情報を収集してもよいし、情報機器管理サーバ５からの要求に応じて情報を収集してもよい。データ処理部１４は、変更が生じたゾーンのゾーンＩＤ又は人の個人ＩＤを含むデータとして集計結果を通信部１５へ出力し、集計結果の送信を通信部１５へ要求する。データ処理部１４は、人がいるゾーンを示すゾーンＩＤを集計結果に更に含めてもよい。また、データ処理部１４は、一定の周期で、建物内データベース１１における検出結果テーブル１１１及び入退テーブル１１２を集計し、データとしての集計結果を生成する。この場合の集計結果には、人がいるゾーンと人がいないゾーンとを示す情報と建物内に入館中の人の個人ＩＤとが含まれる。通信部１５は、データ処理部１４から出力される集計結果を情報機器管理サーバ５へ送信する。
【００２９】
また、データ処理部１４は、通信部１５を介して、状態情報を第１の電力消費情報として情報機器管理サーバ５から受信する。状態情報は、ＰＣ６及び共用機器７などの情報機器により消費される電力に関する情報である。状態情報は、情報機器ＩＤと、当該情報機器ＩＤが示す情報機器が属するゾーンのゾーンＩＤ、当該情報機器の消費電力、消費電力量、動作状態を示す情報、使用電源を示す情報、使用されているか否かを示す情報、動作状態で示される動作が開始された時刻などを含む。情報機器が使用されているか否かは、情報機器の動作状態や、情報機器に備えられた入力装置（キーボード、マウスなど）が人の操作を受け付けているかに基づいて判定される。
【００３０】
データ処理部１４は、第１の電力消費情報に基づいて、情報機器テーブル１２２を更新する。具体的には、データ処理部１４は、取得した第１の電力消費情報に含まれる情報機器ＩＤと一致する情報機器ＩＤを含む行を情報機器テーブル１２２において検出する。データ処理部１４は、取得した第１の電力消費情報に基づいて、検出した行に含まれる各項目の情報を更新する。履歴情報に関しては、データ処理部１４は、状態情報に含まれる動作状態を示す情報に基づいて、動作状態に変更が生じているか否かを判定する。動作状態に変更を検出した場合、データ処理部１４は、変更後の動作状態を示す情報と、動作状態が開始された時刻とを履歴情報に追加することにより、履歴情報の更新を行う。
【００３１】
データ処理部１４は、情報機器テーブル１２２に記憶されている情報又は第１の電力消費情報に基づいて、ゾーンテーブル１２１における情報機器に関する各情報と、合計電力及び合計電力量とを更新する。例えば、データ処理部１４は、ＰＣ６を示す情報機器ＩＤを含む行の消費電力を情報機器テーブル１２２からゾーンＩＤごとに読み出す。データ処理部１４は、読み出した消費電力の合計値をゾーンＩＤごとに算出し、合計値でゾーンテーブル１２１におけるＰＣの電力をゾーンごとに更新する。データ処理部１４は、同様の動作により、ゾーンテーブル１２１における共用機器の電力、その他の電力、合計電力、情報機器の電力量、合計電力量それぞれを更新する。
【００３２】
データ処理部１４は、通信部１５を介して情報機器管理サーバ５に状態情報を要求して状態情報を取得してもよいし、情報機器管理サーバ５から定期的に送信される状態情報を取得してもよい。データ処理部１４は、第１の電力消費情報としての状態情報を取得する都度、情報機器テーブル１２２及びゾーンテーブル１２１を更新してもよいし、一定の周期で情報機器テーブル１２２及びゾーンテーブル１２１を更新してもよい。
【００３３】
通信部１５は、前述のように情報機器管理サーバ５と通信を行うとともに、監視端末１０と通信を行う。通信部１５は、監視端末１０から受信する情報の要求に応じて、消費電力データベース１２に記憶されている情報を読み出して返信する。
【００３４】
設備機器制御部１６は、検出結果テーブル１１１に基づいて、建物内の各ゾーンにおける設備機器４を制御する。例えば、ゾーンＡに人がいない場合、設備機器制御部１６は、ゾーンＡに備えられた設備機器４を停止させたり、運転レベルを下げたりして消費電力を削減する。設備機器４の運転レベルを下げるとは、例えば設備機器４が空調装置であり冷房運転をしている場合には、空調設備から供給される空気の温度を上げることになる。また、設備機器４が照明装置である場合には、照明装置を消灯させたり、照明装置により発せられる光を弱くさせたり、人が検出されなくなってから一定時間経過した後に照明装置を消灯させたりする。また、設備機器４が建物内の空気などを循環させる吸排気ファンや、建物内に冷水又は温水を供給する給水ポンプである場合には、単位時間あたりの流量を削減したり、連続運転を間欠運転に切り替えたりする。
【００３５】
設備機器４がブラインドである場合には、窓から室内への日射を遮るようにして冷房効率を向上させて空調設備の運転レベルを下げさせたり、窓から室内への日射を取り入れて暖房効率を向上させて空調設備の運転レベルを下げさせたりする。また、ブラインドの開閉に応じて、照明装置による照度を下げさせたりする。また、人がいない不在のゾーンにおけるブラインドに対して、設備機器制御部１６は、室温の変化を抑えるようにブラインドの開閉を制御してもよい。
【００３６】
設備機器制御部１６は、設備機器４それぞれから第２の電力消費情報を取得する。第２の電力消費情報は、設備機器４により消費される電力に関する情報である。第２の電力消費情報は、設備機器ＩＤと、当該設備機器ＩＤが示す設備機器４が位置するゾーンのゾーンＩＤ、当該設備機器４の消費電力、消費電力量、動作状態を示す情報、動作状態で示される動作が開始された時刻などを含む。設備機器制御部１６は、第２の電力消費情報に基づいて、設備機器テーブル１２３を更新する。具体的には、設備機器制御部１６は、取得した第２の電力消費情報に含まれる設備機器ＩＤと一致する設備機器ＩＤを含む行を設備機器テーブル１２３において検出する。設備機器制御部１６は、取得した第２の電力消費情報に基づいて、検出した行に含まれる各項目の情報を更新する。
【００３７】
設備機器制御部１６は、設備機器テーブル１２３に記憶されている情報又は第２の電力消費情報に基づいて、ゾーンテーブル１２１における設備機器に関する各情報と、合計電力及び合計電力量とを更新する。例えば、設備機器制御部１６は、空調装置を示す設備機器ＩＤを含む行の消費電力を設備機器テーブル１２３からゾーンＩＤごとに読み出す。設備機器制御部１６は、読み出した消費電力の合計値をゾーンＩＤごとに算出し、合計値でゾーンテーブル１２１における空調装置の電力をゾーンごとに更新する。設備機器制御部１６は、同様の動作により、ゾーンテーブル１２１における照明装置の電力、その他の電力、合計電力、設備機器の電力量、合計電力量それぞれを更新する。
【００３８】
設備機器制御部１６は、予め定められた周期で設備機器４から第２の電力消費情報を取得してもよいし、予め定められた時刻ごとに設備機器４から第２の電力消費情報を取得してもよい。設備機器制御部１６は、第２の電力消費情報を取得する都度、設備機器テーブル１２３及びゾーンテーブル１２１を更新してもよいし、一定の周期で設備機器テーブル１２３及びゾーンテーブル１２１を更新してもよい。
【００３９】
電源部１７は、外部の発電機又は商用電源から受ける電力を、エネルギー管理サーバ１に備えられる建物内データベース１１、消費電力データベース１２、データベース更新部１３、データ処理部１４、通信部１５及び設備機器制御部１６それぞれへ供給する。電源部１７は、外部の発電機及び商用電源から電力が受けられなくなった場合においても電力の供給を継続できるように、二次電池などを備えてもよい。
【００４０】
図１０は、第１の実施形態における情報機器管理サーバ５の構成例を示すブロック図である。情報機器管理サーバ５は、情報機器データベース５１と、通信部５２と、情報機器制御部５３と、ネットワークインターフェース（ネットワークＩ／Ｆ）５４と、電源部５５とを備える。情報機器データベース５１には、情報機器に関する情報機器情報として、情報機器テーブル５１１と利用機器テーブル５１２とが記憶されている。情報機器テーブル５１１には、ＰＣ６及び共用機器７それぞれが属するゾーンが記憶される。具体的には、ＰＣ６及び共用機器７それぞれを一意に識別する情報機器ＩＤと、ＰＣ６又は共用機器７が属するゾーンを示すゾーンＩＤとの組み合わせが記憶されている。例えばＰＣ６がラップトップ型のコンピュータであり、人が持ち運んで利用できる場合であっても、ＰＣ６はいずれかのゾーンに属する。例えばラップトップ型のＰＣ６に対しては、当該ＰＣ６が主に使用されるゾーンに属する。すなわち、すべてのＰＣ６及びすべての共用機器７は、いずれかのゾーンに属することになる。利用機器テーブル５１２には、人が利用するＰＣ６を示す情報が記憶されている。具体的には、利用機器テーブル５１２には、人の個人ＩＤと、ＰＣ６を一意に識別する情報機器ＩＤとの組み合わせが記憶されている。
【００４１】
図１１は、情報機器テーブル５１１の一例を示す図である。情報機器テーブル５１１は、情報機器ＩＤの項目と、ゾーンＩＤの項目との列を含む。行は情報機器ごとに存在する。情報機器ＩＤの項目には、情報機器を識別する情報機器ＩＤ（例えばＰＣ＃１）が記憶される。ゾーンＩＤの項目には、同じ行の情報機器ＩＤで識別される情報機器が属するゾーンを示すゾーンＩＤが記憶される。すなわち、情報機器テーブル５１１には、情報機器の情報機器ＩＤと、情報機器が属するゾーンのゾーンＩＤとの組み合わせが記憶されている。例えば、図１１の情報機器テーブル５１１は、共用機器＃２で識別される情報機器がゾーン＃１で示されるゾーンで主に使用されることを記憶している。なお、図１１には情報機器ＩＤとゾーンＩＤとを一対一に対応付ける例を示したが、情報機器ＩＤに対して複数のゾーンＩＤを対応付けてもよい。
【００４２】
図１２は、利用機器テーブル５１２の一例を示す図である。利用機器テーブル５１２は、個人ＩＤの項目と、情報機器ＩＤの項目との列を含む。行は、建物に入退する人ごとに存在する。個人ＩＤの項目には、個人ＩＤ（例えば個人＃１）が記憶される。情報機器ＩＤの項目には、同じ行の個人ＩＤにより識別される人が利用する情報機器を示す情報機器ＩＤが記憶される。例えば、図１２の利用機器テーブル５１２は、個人＃１で識別される人がＰＣ＃１で識別される情報機器を利用することを記憶している。なお、図１２には個人ＩＤと情報機器ＩＤとを一対一に対応付ける例を示したが、人が複数の情報機器を利用する場合には個人ＩＤに対して複数の情報機器ＩＤを対応付けてもよい。
【００４３】
図１０に戻り、情報機器管理サーバ５の説明を続ける。通信部５２は、エネルギー管理サーバ１と通信を行う。通信部５２は、エネルギー管理サーバ１から送信されるデータとしての集計結果を受信し、集計結果を情報機器制御部５３へ出力する。情報機器制御部５３は、情報機器データベース５１に記憶されている情報機器テーブル５１１及び利用機器テーブル５１２と、データとしての集計結果とに基づいて、消費電力を削減する対象となるＰＣ６又は共用機器７を選択する。情報機器制御部５３は、選択したＰＣ６又は共用機器７を制御して、ＰＣ６又は共用機器７により消費される電力を抑える。例えば、情報機器制御部５３は、動作状態を「オフ」又は「スリープ」に変更させる指示を含む制御情報を、人がいないゾーンに属するＰＣ６及び共用機器７に対して送信する。
【００４４】
情報機器制御部５３は、ネットワークＩ／Ｆ５４を介して、ＰＣ６及び共用機器７の情報機器それぞれから状態情報を取得する。情報機器制御部５３は、取得した状態情報を、通信部５２を介してエネルギー管理サーバ１へ送信する。情報機器制御部５３は、予め定められた周期又はタイミングで、ＰＣ６及び共用機器７の情報機器それぞれに対して状態情報の送信を要求し、応答として返送される状態情報を取得する。情報機器制御部５３は、ＰＣ６及び共用機器７の情報機器から一定周期で送信される状態情報を、ネットワークＩ／Ｆ５４を介して取得してもよい。動作状態が「オフ」であり停止しているＰＣ６又は共用機器７は、情報機器制御部５３からの要求に対して情報機器制御部５３へ応答できない場合がある。この場合、情報機器制御部５３は、応答が得られなかったＰＣ６又は共用機器７の情報機器の動作状態を「オフ」とみなし、当該情報機器の状態情報を生成してエネルギー管理サーバ１へ送信する。
【００４５】
ネットワークＩ／Ｆ５４は、建物内に位置するＰＣ６及び共用機器７との通信を行う。ネットワークＩ／Ｆ５４は、情報機器制御部５３により生成された制御情報をＰＣ６又は共用機器７へ送信する。ネットワークＩ／Ｆ５４は、制御対象となったＰＣ６又は共用機器７から状態情報を受信し、受信した状態情報をエネルギー管理サーバ１へ送信することを通信部５２へ要求する。
【００４６】
電源部５５は、外部の発電機又は商用電源から受ける電力を、情報機器管理サーバ５に備えられる情報機器データベース５１、通信部５２、情報機器制御部５３及びネットワークＩ／Ｆ５４それぞれへ供給する。電源部５５は、エネルギー管理サーバ１に備えられる電源部１７と同様に、外部の発電機及び商用電源から電力が受けられなくなった場合においても、電力の供給を継続できるように、二次電池などを備えてもよい。
【００４７】
図１３は、エネルギー管理サーバ１のハードウェア構成の一例を示すブロック図である。エネルギー管理サーバ１は、ＣＰＵ８１と、ＲＡＭ８２と、ＲＯＭ８３と、入力装置８４と、表示装置８５と、ネットワークＩ／Ｆ８６と、記憶装置８７と、入出力Ｉ／Ｆ８８と、データベース８９と、電源部１７とを備える。ＣＰＵ８１は、ＨＤＤやＳＳＤ（Solid State Drive）などにより構成された記憶装置８７又はＲＯＭ８３に非一時的に記憶されているプログラムをＲＡＭ８２へ読み出し、読み出したプログラムを実行する。ＣＰＵ８１は、マウスやキーボードなどの入力装置８４にて入力されるユーザ又は管理者の操作に応じた処理を実行することで、データベース更新部１３、データ処理部１４、設備機器制御部１６として動作する。ネットワークＩ／Ｆ８６は、通信部１５として動作する。データベース８９は、建物内データベース１１及び消費電力データベース１２として動作する。
【００４８】
ＣＰＵ８１は、入出力Ｉ／Ｆ８８を介して、入退管理システム２から入退情報を取得し、検出センサ３それぞれから在不在情報を取得する。データベース更新部１３として動作するＣＰＵ８１は、取得した入退情報及び在不在情報に基づいて、建物内データベース１１として動作するデータベース８９に記憶されている情報を更新する。データ処理部１４として動作するＣＰＵ８１は、建物内データベース１１及び消費電力データベース１２として動作するデータベース８９に記憶されている情報を集計する。通信部１５として動作するネットワークＩ／Ｆ８６は、集計により得られた集計結果を情報機器管理サーバ５へ送信する。
【００４９】
データ処理部１４及び設備機器制御部１６として動作するＣＰＵ８１は、第１及び第２の電力消費情報を取得する。ＣＰＵ８１は、第１及び第２の電力消費情報に基づいて、消費電力データベース１２として動作するデータベース８９に記憶されている情報を更新する。表示装置８５は、データベース８９に含まれる消費電力データベース１２の情報を表示する。表示装置８５は、例えば図７、図８、図９に示したゾーンテーブル１２１、情報機器テーブル１２２、設備機器テーブル１２３を表示する。エネルギー管理サーバ１は、設備機器及び情報機器により消費される電力をゾーンごとに表示することにより、建物に係るすべての機器で消費される電力の監視を可能にする。このように、エネルギー管理サーバ１は、プログラムを実行するＣＰＵ８１を備えるハードウェアを用いて実装されてもよい。
【００５０】
エネルギー管理サーバ１と同様に、情報機器管理サーバ５もプログラムを実行するＣＰＵを備えるハードウェアを用いて実装されてもよい。この場合、ＣＰＵ８１は、マウスやキーボードなどの入力装置８４にて入力されるユーザ又は管理者の操作に応じた処理を実行することで、情報機器制御部５３として動作する。
【００５１】
図１４は、監視端末１０のハードウェア構成の一例を示すブロック図である。監視端末１０は、ＣＰＵ１０１と、ＲＡＭ１０２と、ＲＯＭ１０３と、入力装置１０４と、表示装置１０５と、ネットワークＩ／Ｆ１０６と、記憶装置１０７と、電源部１１７とを備える。ＣＰＵ１０１は、ＨＤＤやＳＳＤなどにより構成された記憶装置１０７又はＲＯＭ１０３に非一時的に記憶されているプログラムをＲＡＭ１０２へ読み出し、読み出したプログラムを実行する。ＣＰＵ１０１は、マウスやキーボードなどの入力装置１０４にて入力される管理者の操作に応じた処理をプログラムに基づいて実行する。具体的には、ＣＰＵ１０１は、エネルギー管理サーバ１に対して建物内データベース１１又は消費電力データベース１２に記憶されている情報を要求し、応答として得られた情報を表示装置１０５に表示させる。
【００５２】
表示装置１０５は、ＣＰＵ１０１により実行されるプログラムに基づいて画面を表示する。例えば、表示装置１０５は、建物内データベース１１又は消費電力データベース１２に記憶されている情報を表示する。表示装置１０５は、例えば図７、図８、図９に示したゾーンテーブル１２１、情報機器テーブル１２２、設備機器テーブル１２３を表示する。表示装置１０５は、建物内データベース１１に記憶されている検出結果テーブル１１１や入退テーブル１１２を表示してもよい。ネットワークＩ／Ｆ１０６は、ＣＰＵ１０１の指示に応じて通信をエネルギー管理サーバ１と行う。ネットワークＩ／Ｆ１０６は、ＣＰＵ１０１の指示に基づいて、情報の要求をエネルギー管理サーバ１へ送信したり、当該要求の応答をエネルギー管理サーバ１から受信したりする。
【００５３】
電源部１１７は、外部の発電機又は商用電源から受ける電力を、監視端末１０に備えられるＣＰＵ１０１、ＲＡＭ１０２、ＲＯＭ１０３、入力装置１０４、表示装置１０５、ネットワークＩ／Ｆ１０６及び記憶装置１０７それぞれへ供給する。電源部１１７は、外部から電力が受けられなくなった場合においても電力の供給を継続できるように、二次電池などを備えてもよい。
【００５４】
なお、監視端末１０は、エネルギー管理サーバ１に対して、建物内データベース１１又は消費電力データベース１２に記憶されている情報を要求することに加えて、消費電力データベース１２に記憶されている情報の更新を要求してもよい。監視端末１０から情報の更新が要求された場合、エネルギー管理サーバ１において、データ処理部１４は情報機器それぞれの第１の電力消費情報を情報機器管理サーバ５から取得し、ゾーンテーブル１２１及び情報機器テーブル１２２に記憶されている情報を更新する。設備機器制御部１６は、設備機器４それぞれから第２の電力消費情報を取得し、ゾーンテーブル１２１及び情報機器テーブル１２２に記憶されている情報を更新する。
【００５５】
また、建物において使用されるＰＣ６が、監視端末１０により行われる動作と同じ動作を行ってもよい。例えば、建物内においてＰＣ６を使用する人が、建物で消費されている電力を確認するために、ＰＣ６を操作して消費電力データベース１２に記憶されている情報をエネルギー管理サーバ１に要求してもよい。エネルギー管理サーバ１から得られたゾーンテーブル１２１、情報機器テーブル１２２、設備機器テーブル１２３がＰＣ６に表示されることで、ＰＣ６を使用する人が建物で消費されている電力を確認できる。監視端末１０及びＰＣ６において、建物に係り消費される電力に関する情報を表示する際には、ゾーンテーブル１２１、情報機器テーブル１２２、設備機器テーブル１２３の情報に基づいて生成したグラフや表を監視端末１０及びＰＣ６が表示してもよい。
【００５６】
第１の実施形態の管理システム全体における動作を図１５及び図１６を参照して説明する。図１５及び図１６は、情報機器管理サーバ５が取得した状態情報をエネルギー管理サーバ１へ送信し、第１の電力消費情報としての状態情報に基づいてエネルギー管理サーバ１が消費電力データベース１２の更新と設備機器４の制御とを行う処理を示すシーケンス図である。
【００５７】
ＰＣ６又は共用機器７は、自身が消費する電力に関する情報である状態情報を生成する（ステップＳ１０１）。ＰＣ６及び共用機器７による状態情報の生成は、情報機器管理サーバ５の要求を受けて行われてもよいし、予め定められた周期又はタイミングで行われてもよい。また、ＰＣ６及び共用機器７は、人の操作を受けて、状態情報を生成してもよい。ＰＣ６又は共用機器７は、状態情報を情報機器管理サーバ５へ送信する（ステップＳ１０２）。
【００５８】
情報機器管理サーバ５において、ネットワークＩ／Ｆ５４は、ＰＣ６又は共用機器７から受信した状態情報を、情報機器制御部５３と通信部５２とへ転送する（ステップＳ１０３）。通信部５２は、ネットワークＩ／Ｆ５４を介して、状態情報をエネルギー管理サーバ１へ送信する（ステップＳ１０４）。通信部５２は、複数のＰＣ６及び共用機器７から得られた状態情報を一時的に記憶して複数の状態情報をまとめてエネルギー管理サーバ１へ送信してもよいし、状態情報が得られる都度エネルギー管理サーバ１へ送信してもよい。
【００５９】
なお、ＰＣ６及び共用機器７の情報機器から送信される状態情報に、当該情報機器が属するゾーンのゾーンＩＤが含まれていない場合、情報機器制御部５３は、ネットワークＩ／Ｆ５４を介して受信する状態情報に対してゾーンＩＤを加える処理を行う。情報機器制御部５３は、状態情報に含まれる情報機器ＩＤに対応するゾーンＩＤを情報機器テーブル５１１から取得し、取得したゾーンＩＤを状態情報に加える。情報機器制御部５３は、ゾーンＩＤを含む状態情報を、通信部５２を介してエネルギー管理サーバ１へ送信する。情報機器制御部５３がエネルギー管理サーバ１へ状態情報を送信する場合、ネットワークＩ／Ｆ５４から通信部５２への状態情報の転送は行わなくてもよい。
【００６０】
エネルギー管理サーバ１において、通信部１５は、情報機器管理サーバ５から受信した状態情報を、データ処理部１４へ転送する（ステップＳ１０５）。データ処理部１４は、状態情報に基づいて、消費電力データベース１２に記憶されている情報機器テーブル１２２とゾーンテーブル１２１とを更新する（ステップＳ１０６）。設備機器制御部１６は、ゾーンテーブル１２１に記憶されている設備機器４の消費電力を集計する（ステップＳ１０７）。設備機器制御部１６による集計には、例えば、情報機器が使用されていないゾーンを消費電力に基づいて検出したり、ゾーンにおける消費電力における設備機器４の消費電力の割合をゾーンごとに算出したり、建物に係る設備機器４と情報機器との消費電力の比率を算出したりすることが含まれる。
【００６１】
設備機器制御部１６は、集計結果に基づいて、設備機器４に対する制御の要否をゾーンごとに判定する（ステップＳ１０８）。例えば、情報機器が使用されていないゾーンにおいて動作している設備機器４の有無を判定する。このようなゾーンにおいて動作している設備機器４がある場合、設備機器制御部１６は、停止又は運転レベルを下げる指示を含む制御情報を当該ゾーンにおいて動作している設備機器４へ送信する（ステップＳ１０９）。制御情報を受信した設備機器４は、動作状態を変更する（ステップＳ１１０）。
【００６２】
ＰＣ６及び共用機器７などの情報機器が使用されていないゾーンとは、例えばＰＣ６及び共用機器７の消費電力の合計値が一定値以下であり、当該ゾーンを使用する人がいないと在不在情報に基づいて判断されるゾーンである。エネルギー管理サーバ１は、情報機器管理サーバ５により制御されるＰＣ６及び共用機器７の動作状態に基づいて、ゾーンにおける設備機器４を停止又は運転レベルを下げることで人の利便性を損なうことなく、消費電力を削減することができる。
【００６３】
第１の実施形態の管理システムによれば、エネルギー管理サーバ１が、建物における情報機器及び設備機器４それぞれが消費する電力を取得して記憶する。エネルギー管理サーバ１が、建物に係る複数のゾーンごとに情報機器及び設備機器４それぞれの消費電力を集計するので、建物における消費電力の監視が可能になる。また、ゾーンごとの消費電力に基づいて、設備機器４により消費される電力を抑える制御をエネルギー管理サーバ１が行うことにより、消費電力の削減が可能になる。
【００６４】
なお、設備機器制御部１６は、情報機器により消費される電力が一定値以上のゾーンを検出し、検出したゾーンにおける設備機器４により消費される電力を抑える制御を行ってもよい。この制御により、管理システムは、ゾーンにおける合計消費電力を抑えることができ、建物全体における消費電力を抑えることができる。
【００６５】
また、データ処理部１４は、検出結果テーブル１１１に基づいて人がいるゾーンを検出し、検出したゾーンにおける情報機器に関する状態情報を情報機器管理サーバ５へ要求してもよい。データ処理部１４は、人がいるゾーンにおける情報機器の状態情報を取得して消費電力データベース１２を更新することにより、情報機器の消費電力が高いと推定されるゾーンの消費電力の更新頻度を高めて、消費電力の監視におけるリアルタイム性を向上させることができる。
【００６６】
また、情報機器テーブル１２２における情報機器の履歴情報は、データ処理部１４が状態情報に基づいて更新される構成について説明した。しかし、ＰＣ６及び共用機器７それぞれが自身の履歴情報を生成し、履歴情報を含む状態情報を情報機器管理サーバ５及びエネルギー管理サーバ１へ送信してもよい。ＰＣ６及び共用機器７の情報機器それぞれが履歴情報を生成する場合、情報機器は、動作状態に変更が生じる都度、変更後の動作状態と現在時刻とを組み合わせて記憶する。変更後の動作状態と現在時刻との組み合わせの時系列が、情報機器それぞれの履歴情報となる。
【００６７】
また、第１の実施形態では、エネルギー管理サーバ１において、各検出センサ３から得られた在不在情報をデータベース更新部１３が検出結果テーブル１１１へ記憶させ、検出結果テーブル１１１に記憶されている情報をデータ処理部１４が集計して得られたデータを情報機器管理サーバ５へ送信する構成について説明した。しかし、エネルギー管理サーバ１は、各検出センサ３から得られた在不在情報を情報機器管理サーバ５へ送信してもよい。情報機器管理サーバ５が在不在情報を受信する場合、検出センサ３を一意に識別するセンサＩＤと、当該検出センサ３が人の検出範囲に位置する情報機器の情報機器ＩＤとの組み合わせを記憶するセンサテーブルが情報機器データベース５１に記憶されていてもよい。情報機器管理サーバ５は、センサテーブルを備えることにより、在不在情報に基づいて情報機器を制御できる。
【００６８】
第１の実施形態における管理システムは、エネルギー管理サーバ１と情報機器管理サーバ５との２つのサーバに代えて、１つの管理サーバ２００を備えてもよい。図１７は、第１の実施形態における管理システムの他の構成例を示す図である。管理サーバ２００は、建物内データベース１１と、消費電力データベース１２と、データベース更新部１３と、データ処理部１４と、通信部１５と、設備機器制御部１６と、電源部１７と、情報機器データベース５１と、情報機器制御部５３と、ネットワークＩ／Ｆ５４とを備える。エネルギー管理サーバ１と情報機器管理サーバ５とが一つのサーバとして構成されることにより、エネルギー管理サーバ１と情報機器管理サーバ５との間における通信を行う通信部５２が省かれている。また、電源部５５も省かれている。管理サーバ２００を用いることにより、エネルギー管理サーバ１と情報機器管理サーバ５とにより行われる処理を１つのサーバが行ってもよい。
【００６９】
［第２の実施形態］
図１８は、第２の実施形態における管理システムの構成例を示すブロック図である。管理システムは、建物に備えられた設備機器が消費するエネルギーと、建物において用いられる少なくとも一の情報機器が消費するエネルギーとを監視する。以下の説明では、建物がオフィスビルであり、オフィスビルに複数のテナントが存在する場合について説明する。
【００７０】
第２の実施形態における管理システムは、エネルギー管理サーバ３００と、入退管理システム２と、複数の検出センサ３と、複数の設備機器４と、情報機器管理サーバ６００とを備える。エネルギー管理サーバ３００は、管理システムによるエネルギー削減対象の建物に設けられてもよいし、建物と異なる場所に設けられていてもよい。建物と異なる場所にエネルギー管理サーバ３００が設けられる場合、エネルギー管理サーバ３００は、有線回線又は無線回線のいずれか又は両方を用いて構成されたネットワークを介して、入退管理システム２と、建物に備えられる検出センサ３及び設備機器４と通信を行う。情報機器管理サーバ６００も、エネルギー管理サーバ１と同様に、建物に設けられてもよいし、建物と異なる場所に設けられてもよい。また、エネルギー管理サーバ３００と情報機器管理サーバ６００との一方又は両方は、クラウドコンピューティングを利用して構成されてもよい。また、管理システムによるエネルギー削減対象の建物は、複数でもよく、複数のオフィスビル群や、ある区域内に建設された複数のビルなどであってもよい。
【００７１】
エネルギー管理サーバ３００は、建物における入館及び退出に関する入退情報を、入退管理システム２から取得する。入退管理システム２は、管理対象の建物へ入館する人と建物から退出する人とを検出し、検出結果に基づいて入退情報を生成する。また、エネルギー管理サーバ３００は、建物内に備えられた複数の検出センサ３それぞれから、人の検出に係る検出信号を取得する。以下、検出信号を在不在情報という。各検出センサ３は、建物に係る複数のゾーンそれぞれに備えられる。各検出センサ３は、ゾーンにおける人の有無を判定し、判定結果に基づいた在不在情報を生成する。在不在情報は、ゾーンを一意に識別するゾーンＩＤと、当該ゾーンにおける人の有無（「在」／「不在」）を示す情報とを含む。検出センサ３は、例えば画像センサや赤外線センサを備え、センサからの出力に基づいて人の有無又は人の移動を検出する。なお、検出センサ３の検出精度が高く人数を検出できる場合、検出センサ３は人の有無に代えて人数を示す在不在情報をエネルギー管理サーバ３００へ通知してもよい。なお、在不在情報は、存在情報ともいう。
【００７２】
第２の実施形態におけるゾーンは、テナントへ貸し出す区画に基づいて定められる。例えば、建物内の各階のフロアが複数の区画に分割され、各区画がゾーンに定められていてもよい。また、ゾーンは、エネルギー削減の方針に基づいて定められてもよい。
【００７３】
エネルギー管理サーバ３００は、入退管理システム２から取得する入退情報と、各検出センサ３から取得する在不在情報とに基づいて、各ゾーンに備えられている設備機器４を制御する。設備機器４は、建物に備えられる機器であって動作状態に応じて、直接的又は間接的に消費する電力が変化する機器である。設備機器４は、例えば照明装置や空調装置、吸排気ファン、給水ポンプ、給湯装置、窓に設けられるブラインドなどである。ブラインドは、定常的にエネルギーを消費する機器ではないが、ブラインドの開閉により窓からの日射を変化させ、空調装置などが消費する電力を間接的に変化させることができる機器である。
【００７４】
また、エネルギー管理サーバ３００は、入退情報及び在不在情報を集計し、集計により得られたデータを集計結果として情報機器管理サーバ６００へ送信する。エネルギー管理サーバ３００は、情報機器管理サーバ６００により制御される情報機器により消費される電力に関する第１の電力消費情報を取得する。エネルギー管理サーバ３００は、設備機器により消費される電力に関する第２の電力消費情報を取得する。エネルギー管理サーバ３００は、入退情報及び在不在情報に基づき、ゾーンとの関係で第１及び第２の電力消費情報を記憶する。
【００７５】
監視端末１０は、エネルギー管理サーバ３００と通信可能に接続される。監視端末１０は、第１及び第２の電力消費情報に基づいてエネルギー管理サーバ３００に記憶される情報を取得し、表示する。監視端末１０は、例えば、建物の管理者が使用する。管理者は、監視端末１０を操作することにより、建物に係り消費される電力を監視端末１０に表示させて、消費電力を確認、監視する。なお、図１８には管理システムが監視端末１０を一つ備える場合を例示しているが、管理システムが複数の監視端末１０を備えてもよい。また、監視端末１０は、エネルギー管理サーバ３００と同じ位置に設けられていてもよいし、異なる位置に設けられていてもよい。エネルギー管理サーバ３００がクラウドコンピューティング利用して構成される場合、監視端末１０は、ネットワークを介して、エネルギー管理サーバ３００を構成するコンピュータ・リソースにアクセスすることにより、情報を取得して表示する。
【００７６】
エネルギー管理サーバ３００と情報機器管理サーバ６００とは、通信可能に接続されている。エネルギー管理サーバ３００と情報機器管理サーバ６００とは、専用回線又はローカルエリアネットワークで接続されていてもよいし、インターネットを介して接続されていてもよい。インターネットを介してエネルギー管理サーバ３００と情報機器管理サーバ６００とが通信を行う場合には、エネルギー管理サーバ３００と情報機器管理サーバ６００とはＶＰＮ（Virtual Private Network）を利用して通信してもよい。
【００７７】
情報機器管理サーバ６００は、建物内の各ゾーンにおける人の在不在や各人の建物への入退を集計結果から取得する。情報機器管理サーバ６００は、各ゾーンにおける人に関する情報に基づいて、各ゾーンに属する情報機器を制御して、建物内における情報機器により消費される電力を削減する。情報機器とは、人が使用するＰＣ６や共用機器７である。ＰＣ６は、デスクトップ型又はラップトップ型のコンピュータである。共用機器７は、プリンタ、コピー機、複合機、コンピュータ間を通信可能にするハブ、スイッチや無線ＬＡＮアクセスポイントなどのネットワーク機器、ＩＰ電話などの複数の人が共用する機器である。また、情報機器管理サーバ６００は、ＰＣ６及び共用機器７により消費される電力又は電力量を示す情報を取得し、取得した情報をエネルギー管理サーバ３００へ送信する。建物内の各ゾーンには、少なくとも１つの検出センサ３と、１つ又は複数の設備機器４とが備えられる。また、建物内の各ゾーンには、ＰＣ６又は共用機器７のいずれか一方又は両方が少なくとも１つ以上属する。情報機器管理サーバ６００と、ＰＣ６及び共用機器７とは、専用回線又はローカルエリアネットワークで接続されていてもよいし、インターネットを介して接続されていてもよい。情報機器管理サーバ６００と、ＰＣ６及び共用機器７とがインターネットを介して通信する場合には、情報機器管理サーバ６００と、ＰＣ６及び共用機器７とはＶＰＮを利用して通信してもよい。
【００７８】
図１９は、第２の実施形態におけるエネルギー管理サーバ３００の構成例を示すブロック図である。エネルギー管理サーバ３００は、建物内データベース３１１と、消費電力データベース３１２と、データベース更新部３１３と、データ処理部３１４と、通信部３１５と、設備機器制御部３１６と、電源部３１７とを備える。建物内データベース３１１には、建物内における人に関する情報として、検出結果テーブル３１１１と入退テーブル３１１２とテナントテーブル３１１３とが記憶される。検出結果テーブル３１１１には、各ゾーンにおける人の有無が記憶される。入退テーブル３１１２には、建物を利用する人ごとの入退の状態、入館中又は退出のいずれかの状態が記憶される。テナントテーブル３１１３には、各テナントが賃借しているゾーンを示す情報が記憶される。以下、テナントに賃借されるゾーンを、テナントに属するゾーン、又は、テナントに使用されるゾーンとも称する。消費電力データベース３１２には、ゾーンテーブル３１２１と、情報機器テーブル３１２２と、設備機器テーブル３１２３とが記憶される。ゾーンテーブル３１２１には、設備機器４と、ＰＣ６及び共用機器７などの情報機器との消費電力に関する情報がゾーンごと記憶される。情報機器テーブル３１２２には、ＰＣ６及び共用機器７などの情報機器の消費電力に関する情報が情報機器ごとに記憶される。設備機器テーブル３１２３には、設備機器４の消費電力に関する情報が設備機器４ごとに記憶される。
【００７９】
図２０は、第２の実施形態における検出結果テーブル３１１１の一例を示す図である。検出結果テーブル３１１１は、ゾーンＩＤの項目と、人の在不在の項目との列を含む。行はゾーンごとに存在する。ゾーンＩＤの項目には、ゾーンを一意に識別するゾーンＩＤ（例えば、ゾーン＃１）が記憶される。人の在不在の項目には、同じ行のゾーンＩＤが示すゾーンにおいて人の「在」／「不在」が記憶される。「在」は、少なくとも１人が検出されたことを示す。「不在」は、人が検出されなかったことを示す。例えば、図２０の検出結果テーブル３１１１は、ゾーン＃２で示されるゾーンには人が不在であることを記憶している。なお、図２０には検出結果テーブル３１１１が「ゾーンＩＤ」と「人の在不在」との２つの項目の列を有する例を示したが、検出結果テーブル３１１１は他の項目の列を含んでもよい。例えば、「人の在不在」の項目が更新された「時刻」の列を含んでもよいし、検出センサ３が人数を検出できる場合には人数の列を含んでもよい。
【００８０】
図２１は、第２の実施形態における入退テーブル３１１２の一例を示す図である。入退テーブル３１１２は、個人ＩＤの項目と、テナントＩＤの項目と、入退状態の項目との列を含む。行は建物に入退する人ごとに存在する。個人ＩＤの項目には、建物に入退する人を一意に識別する個人ＩＤ（例えば個人＃１）が記憶される。テナントＩＤの項目には、同じ行の個人ＩＤにより示される人が属するテナントを一意に識別するテナントＩＤが記憶される。入退状態の項目には、同じ行の個人ＩＤにより示される人が建物に「入館中」であるか又は「退出」済みであるかが記憶される。例えば、図２１の入退テーブル３１１２は、個人ＩＤ＃２により識別されテナントＩＤ＃１で示されるテナントに属する人が入館中であることを記憶している。なお、図２１には入退テーブル３１１２が「個人ＩＤ」と「テナントＩＤ」と「入退状態」との３つの項目の列を有する例を示したが、入退テーブルは他の項目の列を含んでもよい。例えば、「入退状態」の項目が更新された「時刻」の列を含んでもよい。
【００８１】
図２２は、第２の実施形態におけるテナントテーブル３１１３の一例を示す図である。テナントテーブル３１１３は、ゾーンＩＤの項目と、テナントＩＤの項目との列を含む。行は建物内のゾーンごとに存在する。ゾーンＩＤの項目には、ゾーンを一意に識別するゾーンＩＤ（例えば、ゾーン＃２）が記憶される。テナントＩＤの項目には、同じ行のゾーンＩＤが示すゾーンを使用しているテナントを一意に識別するテナントＩＤ（例えば、テナント＃１）が記憶される。例えば図２２のテナントテーブル３１１３は、ゾーン＃２で示されるゾーンがテナント＃１で示されるテナントに属することを記憶している。各テナントは、少なくとも１つのゾーンを使用している。
【００８２】
ここで、建物内の領域を分割したゾーンについて説明する。図２３及び図２４は、建物内のゾーンの例を示す図である。図２３には、建物内の一つのフロアが６つのゾーンに分けられ、３つのテナントが２つのゾーンをそれぞれ使用している例が示されている。テナントＡがゾーンＡ，Ｄを使用し、テナントＢがゾーンＢ，Ｅを使用し、テナントＣがゾーンＣ，Ｆを使用している場合を図２３は示している。各ゾーンには、人を検知するための検出センサ３が備えられている。検出センサ３は、例えば、各ゾーンの天井に取り付けられ、ゾーンにおける人の有無を検知する。
【００８３】
図２４には、建物内の一つのフロアが３つのゾーンに分けられ、２つのテナントがゾーンを使用している例が示されている。テナントＡがゾーンＡ、Ｂを使用し、テナントＢがゾーンＣを使用している場合を図２４は示している。各ゾーンには、人を検知するための検出センサ３が備えられている。検出センサ３は、例えば、各ゾーンの天井に取り付けられ、ゾーンにおける人の有無を検知する。図２４に示す例における検出センサ３の検出範囲は、図２３に示す例における検出センサ３の検出範囲より広い。
【００８４】
図２５は、第２の実施形態におけるゾーンテーブル３１２１の一例を示す図である。ゾーンテーブル３１２１には、建物内の消費電力及び消費電力量がゾーンごとに記憶されている。各ゾーンの消費電力及び消費電力量は、設備機器４の消費電力及び消費電力量と、情報機器管理サーバ６００により制御されるＰＣ６及び共用機器７などの情報機器の消費電力及び消費電力量と、に分けて記憶される。ゾーンテーブル３１２１は、ゾーンＩＤと、ＰＣや共用機器などを含む情報機器の電力と、空調装置や照明装置などを含む設備機器の電力と、合計電力と、情報機器の電力量と、設備機器の電力量と、合計電力量との各項目の列を含む。行はゾーンごとに存在する。ゾーンＩＤの項目にはゾーンＩＤが記憶される。情報機器の電力の項目には、情報機器に含まれるＰＣや共用機器などの項目が含まれ、ＰＣや共用機器などが消費する電力の値が記憶される。設備機器の電力の項目には、設備機器に含まれる空調装置や照明装置などの項目が含まれ、空調装置や照明装置などが消費する電力の値が記憶される。合計電力の項目には、建物に備えられる情報機器と設備機器とが消費する電力の合計値が記憶される。情報機器の電力量の項目には、集計単位の期間において情報機器が消費した電力量の値が記憶される。設備機器の電力量の項目には、集計単位の期間において設備機器が消費した電力量の値が記憶される。
【００８５】
なお、図２５に示すゾーンテーブル３１２１では、情報機器を「ＰＣ」、「共用機器」及び「その他」に分けているが、情報機器に他の項目を含めてもよい。また、設備機器を「空調装置」、「照明装置」及び「その他」に分けているが、設備機器に他の項目を含めてもよい。また、ゾーンテーブル３１２１におけるＰＣや共用機器が消費する電力の値は、ゾーンに属するＰＣや共用機器の消費電力を合計した値に代えて、個々のＰＣや共用機器が消費する電力の値であってもよい。また、情報機器、設備機器及び合計の電力量は、それぞれ時間、１２時間、１日、１週間を集計単位として複数の電力量が記憶されていてもよい。
【００８６】
図２６は、第２の実施形態における情報機器テーブル３１２２の一例を示す図である。情報機器テーブル３１２２は、情報機器ＩＤ、消費電力、消費電力量、動作状態、使用電源及び履歴情報それぞれの項目の列を含む。行は情報機器ごとに存在する。情報機器ＩＤの項目には、ＰＣ６及び共用機器７などの情報機器を一意に識別する情報機器ＩＤ（例えば、ＰＣ＃１）が記憶される。ゾーンＩＤの項目には、同じ行の情報機器ＩＤが示す情報機器が属するゾーンを示すゾーンＩＤが記憶される。消費電力と消費電力量との項目には、同じ行の情報機器ＩＤが示す情報機器により消費された電力と電力量とがそれぞれ記憶される。
【００８７】
動作状態の項目には、同じ行の情報機器ＩＤが示す情報機器の動作状態を示す情報が記憶される。動作状態としては、例えば「オン」、「オフ」、「スリープ」などがある。「オン」は情報機器が稼動している状態であり、「オフ」は情報機器が停止している状態である。「スリープ」は、消費する電力が「オン」の状態に比べて少ない状態であって、情報機器が稼動する状態になるまでに要する時間が「オフ」の状態に比べて短い状態である。使用電源の項目には、同じ行の情報機器ＩＤが示す情報機器が使用している電源を示す情報が記憶される。電源としては、例えば「Battery」と「ＡＣ」とがある。「Battery」は情報機器が備える一次又は二次電池を電源として使用している状態であり、「ＡＣ」は情報機器の外部の電源、例えば商用電源を使用している状態である。
【００８８】
履歴情報の項目には、同じ行の情報機器ＩＤにより示される情報機器の動作状態が変化した履歴が記憶される。具体的には、この履歴は、動作状態が変化した時刻と変化後の動作状態との組み合わせの時系列を示す情報を含む。例えば、図２６の情報機器テーブル３１２２は、ＰＣ＃１で示される情報機器（ＰＣ６）がゾーン＃１で示されるゾーンに属し、当該情報機器の消費電力、消費電力量、動作状態、使用電源、履歴情報が、それぞれ「ｐｗ０１」、「ｅｅ０１」、「スリープ」、「Battery」、「ＸＸＸＸ」であることを記憶している。
【００８９】
図２７は、第２の実施形態における設備機器テーブル３１２３の一例を示す図である。設備機器テーブル３１２３は、設備機器ＩＤ、ゾーンＩＤ、消費電力、消費電力量、動作状態、履歴情報それぞれの項目の列を含む。行は設備機器４ごとに存在する。設備機器ＩＤの項目には、設備機器４を一意に識別する設備機器ＩＤが記憶される。ゾーンＩＤの項目には、同じ行の設備機器ＩＤが示す設備機器４が備えられるゾーンを示すゾーンＩＤが記憶される。消費電力と消費電力量との項目には、同じ行の設備機器ＩＤが示す設備機器４により消費された電力と電力量とがそれぞれ記憶される。動作状態の項目には、同じ行の設備機器ＩＤが示す設備機器４の動作状態が記憶される。動作状態としては、例えば「オン」と「オフ」とがある。履歴情報の項目には、同じ行の設備機器ＩＤにより示される設備機器の動作状態が変化した履歴が記憶される。この履歴は、情報機器テーブル３１２２における履歴情報と同様の情報である。例えば、図２７の設備機器テーブル３１２３は、設備機器＃２で示される設備機器４がゾーン＃１で示されるゾーンに属し、当該設備機器４の消費電力、消費電力量、動作状態、履歴情報が、それぞれ「ｐｗ１２」、「ｅｅ１２」、「オン」、「ＢＢＢＢ」であることを記憶している。
【００９０】
図１９に戻り、エネルギー管理サーバ３００の説明を続ける。データベース更新部３１３は、入退管理システム２から入退情報を取得すると、入退情報に基づいて入退テーブル３１１２を更新する。入退情報には、入館又は退出した人を一意に特定する個人ＩＤと、当該人が建物に入館したこと又は当該人が建物から退出したことのいずれかを示す情報とが含まれる。データベース更新部３１３は、入退情報に含まれる個人ＩＤに対応付けられている入退テーブル３１１２における状態（入館中又は退出）を、入退情報に基づいて更新する。また、データベース更新部３１３は、各ゾーンそれぞれに備えられた検出センサ３から在不在情報を取得すると、在不在情報に基づいて検出結果テーブル３１１１を更新する。在不在情報には、ゾーンを一意に特定するゾーンＩＤと、当該ゾーンにおける人の有無を示す情報とが含まれる。データベース更新部３１３は、在不在情報に含まれるゾーンＩＤに対応付けられている人の在不在（「在」又は「不在」）を、在不在情報に基づいて更新する。
【００９１】
データ処理部３１４は、データベース更新部３１３により取得された在不在情報と、建物に係る複数のゾーンのゾーンＩＤとに基づいてデータを生成する。具体的には、データ処理部３１４は、検出結果テーブル３１１１、入退テーブル３１１２及びテナントテーブル３１１３に記憶されている情報を収集し、情報に変更が生じたゾーンのゾーンＩＤ、人の個人ＩＤ又はテナントのテナントＩＤを検出する。データ処理部３１４は、一定の周期で情報を収集してもよいし、情報機器管理サーバ６００からの要求に応じて情報を収集してもよい。データ処理部３１４は、変更が生じたゾーンのゾーンＩＤ、人の個人ＩＤ、テナントのテナントＩＤを含むデータとして集計結果を通信部３１５へ出力し、集計結果の送信を通信部３１５へ要求する。データ処理部３１４は、人がいるゾーンを示すゾーンＩＤを集計結果に更に含めてもよい。また、データ処理部３１４は、人の検出状態が変化したゾーンを使用しているテナントをテナントテーブル３１１３に基づいて検出し、検出したテナントのテナントＩＤを集計結果に加える。また、データ処理部３１４は、一定の周期で、建物内データベース３１１における検出結果テーブル３１１１及び入退テーブル３１１２を集計し、データとしての集計結果を生成する。この場合の集計結果には、人がいるゾーンと人がいないゾーンとを示す情報と、建物内に入館中の人の個人ＩＤと、人がいるゾーンのテナントと人がいないゾーンのテナントとを示す情報とが含まれる。通信部３１５は、データ処理部３１４から出力される集計結果を情報機器管理サーバ６００へ送信する。
【００９２】
また、データ処理部３１４は、通信部３１５を介して、状態情報を第１の電力消費情報として情報機器管理サーバ６００から受信する。状態情報は、ＰＣ６及び共用機器７などの情報機器により消費される電力に関する情報である。状態情報は、情報機器ＩＤと、当該情報機器ＩＤが示す情報機器が属するゾーンのゾーンＩＤ、当該情報機器の消費電力、消費電力量、動作状態を示す情報、使用電源を示す情報、使用されているか否かを示す情報、動作状態で示される動作が開始された時刻などを含む。情報機器が使用されているか否かは、情報機器の動作状態や、情報機器に備えられた入力装置（キーボード、マウスなど）がユーザの操作を受け付けているかに基づいて判定される。
【００９３】
データ処理部３１４は、第１の電力消費情報に基づいて、情報機器テーブル３１２２を更新する。具体的には、データ処理部３１４は、取得した第１の電力消費情報に含まれる情報機器ＩＤと一致する情報機器ＩＤを含む行を情報機器テーブル３１２２において検出する。データ処理部３１４は、取得した第１の電力消費情報に基づいて、検出した行に含まれる各項目の情報を更新する。履歴情報に関しては、データ処理部３１４は、状態情報に含まれる動作状態を示す情報に基づいて、動作状態に変更が生じているか否かを判定する。動作状態に変更を検出した場合、データ処理部３１４は、変更後の動作状態を示す情報と、動作状態が開始された時刻とを履歴情報に追加することにより、履歴情報の更新を行う。
【００９４】
データ処理部３１４は、情報機器テーブル３１２２に記憶されている情報又は第１の電力消費情報に基づいて、ゾーンテーブル３１２１における情報機器に関する各情報と、合計電力及び合計電力量とを更新する。例えば、データ処理部３１４は、ＰＣ６を示す情報機器ＩＤを含む行の消費電力を情報機器テーブル３１２２からゾーンＩＤごとに読み出す。データ処理部３１４は、読み出した消費電力の合計値をゾーンＩＤごとに算出し、合計値でゾーンテーブル３１２１におけるＰＣの電力をゾーンごとに更新する。データ処理部３１４は、同様の動作により、ゾーンテーブル３１２１における共用機器の電力、その他の電力、合計電力、情報機器の電力量、合計電力量それぞれを更新する。
【００９５】
データ処理部３１４は、通信部３１５を介して情報機器管理サーバ６００に状態情報を要求して状態情報を取得してもよいし、情報機器管理サーバ６００から定期的に送信される状態情報を取得してもよい。データ処理部３１４は、第１の電力消費情報としての状態情報を取得する都度、情報機器テーブル３１２２及びゾーンテーブル３１２１を更新してもよいし、一定の周期で情報機器テーブル３１２２及びゾーンテーブル３１２１を更新してもよい。
【００９６】
通信部３１５は、前述のように情報機器管理サーバ６００と通信を行うとともに、監視端末１０と通信を行う。通信部３１５は、監視端末１０から受信する情報の要求に応じて、消費電力データベース３１２に記憶されている情報を読み出して返信する。
【００９７】
設備機器制御部３１６は、検出結果テーブル３１１１に基づいて、建物内の各ゾーンにおける設備機器４を制御する。例えば、テナントＡが使用するゾーンＡ、Ｄに人がいない場合、設備機器制御部３１６は、ゾーンＡ、Ｄに備えられた設備機器４を停止させたり、運転レベルを下げたりして消費電力を削減する。
【００９８】
設備機器制御部３１６は、設備機器４それぞれから第２の電力消費情報を取得する。第２の電力消費情報は、設備機器４により消費される電力に関する情報である。第２の電力消費情報は、設備機器ＩＤと、当該設備機器ＩＤが示す設備機器４が位置するゾーンのゾーンＩＤ、当該設備機器４の消費電力、消費電力量、動作状態を示す情報、動作状態で示される動作が開始された時刻などを含む。設備機器制御部３１６は、第２の電力消費情報に基づいて、設備機器テーブル３１２３を更新する。具体的には、設備機器制御部３１６は、取得した第２の電力消費情報に含まれる設備機器ＩＤと一致する設備機器ＩＤを含む行を設備機器テーブル３１２３において検出する。設備機器制御部３１６は、取得した第２の電力消費情報に基づいて、検出した行に含まれる各項目の情報を更新する。
【００９９】
設備機器制御部３１６は、設備機器テーブル３１２３に記憶されている情報又は第２の電力消費情報に基づいて、ゾーンテーブル３１２１における設備機器に関する各情報と、合計電力及び合計電力量とを更新する。例えば、設備機器制御部３１６は、空調装置を示す設備機器ＩＤを含む行の消費電力を設備機器テーブル３１２３からゾーンＩＤごとに読み出す。設備機器制御部３１６は、読み出した消費電力の合計値をゾーンＩＤごとに算出し、合計値でゾーンテーブル３１２１における空調装置の電力をゾーンごとに更新する。設備機器制御部３１６は、同様の動作により、ゾーンテーブル３１２１における照明装置の電力、その他の電力、合計電力、設備機器の電力量、合計電力量それぞれを更新する。
【０１００】
設備機器制御部３１６は、予め定められた周期で設備機器４から第２の電力消費情報を取得してもよいし、予め定められた時刻ごとに設備機器４から第２の電力消費情報を取得してもよい。設備機器制御部３１６は、第２の電力消費情報を取得する都度、設備機器テーブル３１２３及びゾーンテーブル３１２１を更新してもよいし、一定の周期で設備機器テーブル３１２３及びゾーンテーブル３１２１を更新してもよい。
【０１０１】
電源部３１７は、外部の発電機又は商用電源から受ける電力を、エネルギー管理サーバ３００に備えられる建物内データベース３１１、消費電力データベース３１２、データベース更新部３１３、データ処理部３１４、通信部３１５及び設備機器制御部３１６それぞれへ供給する。電源部３１７は、外部の発電機及び商用電源から電力が受けられなくなった場合においても電力の供給を継続できるように、二次電池などを備えてもよい。
【０１０２】
図２８は、第２の実施形態における情報機器管理サーバ６００の構成例を示すブロック図である。情報機器管理サーバ６００は、情報機器データベース６５１と、通信部６５２と、情報機器制御部６５３と、ネットワークインターフェース（ネットワークＩ／Ｆ）６５４と、電源部６５５とを備える。情報機器データベース６５１には、情報機器に関する情報機器情報として、情報機器テーブル６５１１と利用機器テーブル６５１２とが記憶されている。情報機器テーブル６５１１には、ＰＣ６及び共用機器７それぞれが属するゾーン及びテナントが記憶される。具体的には、ＰＣ６及び共用機器７それぞれを一意に識別する情報機器ＩＤと、ＰＣ６又は共用機器７が属するゾーンを示すゾーンＩＤと、ゾーンを使用するテナントを示すテナントＩＤとの組み合わせが記憶されている。例えばＰＣ６がラップトップ型のコンピュータであり、人が持ち運んで利用できる場合であっても、ＰＣ６はいずれかのゾーンに属する。また、ラップトップ型のＰＣ６は、属するゾーンを使用するテナントに属する。例えばラップトップ型のＰＣ６に対しては、当該ＰＣ６が主に使用されるゾーンに属する。すなわち、すべてのＰＣ６及びすべての共用機器７は、ゾーン及びテナントに属することになる。利用機器テーブル６５１２には、人が利用するＰＣ６を示す情報が記憶されている。具体的には、利用機器テーブル６５１２には、人の個人ＩＤと、ＰＣ６を一意に識別する情報機器ＩＤとの組み合わせが記憶されている。
【０１０３】
図２９は、情報機器テーブル６５１１の一例を示す図である。情報機器テーブル６５１１は、情報機器ＩＤの項目と、ゾーンＩＤの項目と、テナントＩＤの項目との列を含む。行は情報機器ごとに存在する。情報機器ＩＤの項目には、情報機器を識別する情報機器ＩＤ（例えばＰＣ＃１）が記憶される。ゾーンＩＤの項目には、同じ行の情報機器ＩＤで識別される情報機器が属するゾーンを示すゾーンＩＤが記憶される。テナントＩＤの項目には、同じ行の情報機器ＩＤで識別される情報機器が属するテナントを示すテナントＩＤが記憶される。換言すると、テナントＩＤの項目には、同じ行の情報機器ＩＤで識別される情報機器が属するゾーンを使用するテナントを示すテナントＩＤが記憶される。すなわち、情報機器テーブル６５１１には、情報機器の情報機器ＩＤと、情報機器が属するゾーンのゾーンＩＤと、情報機器が属するテナントのテナントＩＤとの組み合わせが記憶されている。例えば、図２９の情報機器テーブル６５１１は、共用機器＃２で識別される情報機器がゾーン＃１で示されるゾーンで主に使用されることを記憶している。なお、図２９には、一つの情報機器ＩＤと一つのゾーンＩＤと一つのテナントＩＤとを対応付ける例を示したが、一つの情報機器ＩＤに対して複数のゾーンＩＤを対応付けてもよい。
【０１０４】
図３０は、利用機器テーブル６５１２の一例を示す図である。利用機器テーブル６５１２は、個人ＩＤの項目と、情報機器ＩＤの項目との列を含む。行は、建物に入退する人ごとに存在する。個人ＩＤの項目には、個人ＩＤ（例えば個人＃１）が記憶される。情報機器ＩＤの項目には、同じ行の個人ＩＤにより識別される人が利用する情報機器を示す情報機器ＩＤが記憶される。例えば、図３０の利用機器テーブル６５１２は、個人＃１で識別される人がＰＣ＃１で識別される情報機器を利用することを記憶している。なお、図３０には個人ＩＤと情報機器ＩＤとを一対一に対応付ける例を示したが、人が複数の情報機器を利用する場合には個人ＩＤに対して複数の情報機器ＩＤを対応付けてもよい。
【０１０５】
図２８に戻り、情報機器管理サーバ６００の説明を続ける。通信部６５２は、エネルギー管理サーバ３００と通信を行う。通信部６５２は、エネルギー管理サーバ３００から送信されるデータとしての集計結果を受信し、集計結果を情報機器制御部６５３へ出力する。情報機器制御部６５３は、情報機器データベース６５１に記憶されている情報機器テーブル６５１１及び利用機器テーブル６５１２と、データとしての集計結果とに基づいて、消費電力を削減する対象となるＰＣ６又は共用機器７を選択する。情報機器制御部６５３は、選択したＰＣ６又は共用機器７を制御して、ＰＣ６又は共用機器７により消費される電力を抑える。例えば、情報機器制御部６５３は、動作状態を「オフ」又は「スリープ」に変更させる指示を含む制御情報を、人がいないゾーンに属するＰＣ６及び共用機器７に対して送信する。
【０１０６】
情報機器制御部６５３は、ネットワークＩ／Ｆ６５４を介して、ＰＣ６及び共用機器７の情報機器それぞれから状態情報を取得する。情報機器制御部６５３は、取得した状態情報を、通信部６５２を介してエネルギー管理サーバ３００へ送信する。情報機器制御部６５３は、予め定められた周期又はタイミングで、ＰＣ６及び共用機器７の情報機器それぞれに対して状態情報の送信を要求し、応答として返送される状態情報を取得する。情報機器制御部６５３は、ＰＣ６及び共用機器７の情報機器から一定周期で送信される状態情報を、ネットワークＩ／Ｆ６５４を介して取得してもよい。動作状態が「オフ」であり停止しているＰＣ６又は共用機器７は、情報機器制御部６５３からの要求に対して情報機器制御部６５３へ応答できない場合がある。この場合、情報機器制御部６５３は、応答が得られなかったＰＣ６又は共用機器７の情報機器の動作状態を「オフ」とみなし、当該情報機器の状態情報を生成してエネルギー管理サーバ３００へ送信する。
【０１０７】
ネットワークＩ／Ｆ６５４は、建物内に位置するＰＣ６及び共用機器７との通信を行う。ネットワークＩ／Ｆ６５４は、情報機器制御部６５３により生成された制御情報をＰＣ６又は共用機器７へ送信する。ネットワークＩ／Ｆ６５４は、制御対象となったＰＣ６又は共用機器７から状態情報を受信し、受信した状態情報をエネルギー管理サーバ３００へ送信することを通信部６５２へ要求する。
【０１０８】
電源部６５５は、外部の発電機又は商用電源から受ける電力を、情報機器管理サーバ６００に備えられる情報機器データベース６５１、通信部６５２、情報機器制御部６５３及びネットワークＩ／Ｆ６５４それぞれへ供給する。電源部６５５は、エネルギー管理サーバ３００に備えられる電源部３１７と同様に、外部の発電機及び商用電源から電力が受けられなくなった場合においても、電力の供給を継続できるように、二次電池などを備えてもよい。
【０１０９】
図３１は、エネルギー管理サーバ３００のハードウェア構成の一例を示すブロック図である。エネルギー管理サーバ３００は、ＣＰＵ３８１と、ＲＡＭ３８２と、ＲＯＭ３８３と、入力装置３８４と、表示装置３８５と、ネットワークＩ／Ｆ３８６と、記憶装置３８７と、入出力Ｉ／Ｆ３８８と、データベース３８９と、電源部３１７とを備える。ＣＰＵ３８１は、ＨＤＤやＳＳＤ（Solid State Drive）などにより構成された記憶装置３８７又はＲＯＭ３８３に非一時的に記憶されているプログラムをＲＡＭ３８２へ読み出し、読み出したプログラムを実行する。ＣＰＵ３８１は、マウスやキーボードなどの入力装置３８４にて入力されるユーザ又は管理者の操作に応じた処理を実行することで、データベース更新部３１３、データ処理部３１４、設備機器制御部３１６として動作する。ネットワークＩ／Ｆ３８６は、通信部３１５として動作する。データベース３８９は、建物内データベース３１１及び消費電力データベース３１２として動作する。
【０１１０】
ＣＰＵ３８１は、入出力Ｉ／Ｆ３８８を介して、入退管理システム２から入退情報を取得し、検出センサ３それぞれから在不在情報を取得する。データベース更新部３１３として動作するＣＰＵ３８１は、取得した入退情報及び在不在情報に基づいて、建物内データベース３１１として動作するデータベース３８９に記憶されている情報を更新する。データ処理部３１４として動作するＣＰＵ３８１は、建物内データベース３１１及び消費電力データベース３１２として動作するデータベース３８９に記憶されている情報を集計する。通信部３１５として動作するネットワークＩ／Ｆ３８６は、集計により得られた集計結果を情報機器管理サーバ６００へ送信する。
【０１１１】
データ処理部３１４及び設備機器制御部３１６として動作するＣＰＵ３８１は、第１及び第２の電力消費情報を取得する。ＣＰＵ３８１は、第１及び第２の電力消費情報に基づいて、消費電力データベース３１２として動作するデータベース３８９に記憶されている情報を更新する。表示装置３８５は、データベース３８９に含まれる消費電力データベース３１２の情報を表示する。表示装置３８５は、例えば図２５、図２６、図２７に示したゾーンテーブル３１２１、情報機器テーブル３１２２、設備機器テーブル３１２３を表示する。エネルギー管理サーバ３００は、設備機器及び情報機器により消費される電力をゾーンごとに表示することにより、建物に係るすべての機器で消費される電力の監視を可能にする。このように、エネルギー管理サーバ３００は、プログラムを実行するＣＰＵ３８１を備えるハードウェアを用いて実装されてもよい。
【０１１２】
エネルギー管理サーバ３００と同様に、情報機器管理サーバ６００もプログラムを実行するＣＰＵを備えるハードウェアを用いて実装されてもよい。この場合、ＣＰＵ３８１は、マウスやキーボードなどの入力装置３８４にて入力されるユーザ又は管理者の操作に応じた処理を実行することで、情報機器制御部６５３として動作する。
【０１１３】
監視端末１０は、エネルギー管理サーバ３００に対して、建物内データベース３１１又は消費電力データベース３１２に記憶されている情報を要求することに加えて、消費電力データベース３１２に記憶されている情報の更新を要求してもよい。監視端末１０から情報の更新が要求された場合、エネルギー管理サーバ３００において、データ処理部３１４は情報機器それぞれの第１の電力消費情報を情報機器管理サーバ６００から取得し、ゾーンテーブル３１２１及び情報機器テーブル３１２２に記憶されている情報を更新する。設備機器制御部３１６は、設備機器４それぞれから第２の電力消費情報を取得し、ゾーンテーブル３１２１及び情報機器テーブル３１２２に記憶されている情報を更新する。
【０１１４】
また、建物において使用されるＰＣ６が、監視端末１０により行われる動作と同じ動作を行ってもよい。例えば、建物内においてＰＣ６を使用する人が、建物で消費されている電力を確認するために、ＰＣ６を操作して消費電力データベース３１２に記憶されている情報をエネルギー管理サーバ３００に要求してもよい。エネルギー管理サーバ３００から得られたゾーンテーブル３１２１、情報機器テーブル３１２２、設備機器テーブル３１２３がＰＣ６に表示されることで、ＰＣ６を使用する人が建物で消費されている電力を確認できる。監視端末１０及びＰＣ６において、建物に係り消費される電力に関する情報を表示する際には、ゾーンテーブル３１２１、情報機器テーブル３１２２、設備機器テーブル３１２３の情報に基づいて生成したグラフや表を監視端末１０及びＰＣ６が表示してもよい。
【０１１５】
第２の実施形態の管理システム全体における動作を図３２及び図３３を参照して説明する。図３２及び図３３は、情報機器管理サーバ６００が取得した状態情報をエネルギー管理サーバ３００へ送信し、第１の電力消費情報としての状態情報に基づいてエネルギー管理サーバ３００が消費電力データベース３１２の更新と設備機器４の制御とを行う処理を示すシーケンス図である。
【０１１６】
ＰＣ６又は共用機器７は、自身が消費する電力に関する情報である状態情報を生成する（ステップＳ２０１）。ＰＣ６及び共用機器７による状態情報の生成は、情報機器管理サーバ６００の要求を受けて行われてもよいし、予め定められた周期又はタイミングで行われてもよい。また、ＰＣ６及び共用機器７は、人の操作を受けて、状態情報を生成してもよい。ＰＣ６又は共用機器７は、状態情報を情報機器管理サーバ６００へ送信する（ステップＳ２０２）。
【０１１７】
情報機器管理サーバ６００において、ネットワークＩ／Ｆ６５４は、ＰＣ６又は共用機器７から受信した状態情報を、情報機器制御部６５３と通信部６５２とへ転送する（ステップＳ２０３）。通信部６５２は、ネットワークＩ／Ｆ６５４を介して、状態情報をエネルギー管理サーバ３００へ送信する（ステップＳ２０４）。通信部６５２は、複数のＰＣ６及び共用機器７から得られた状態情報を一時的に記憶して複数の状態情報をまとめてエネルギー管理サーバ３００へ送信してもよいし、状態情報が得られる都度エネルギー管理サーバ３００へ送信してもよい。
【０１１８】
なお、ＰＣ６及び共用機器７の情報機器から送信される状態情報に、当該情報機器が属するゾーンのゾーンＩＤが含まれていない場合、情報機器制御部６５３は、ネットワークＩ／Ｆ６５４を介して受信する状態情報に対してゾーンＩＤを加える処理を行う。情報機器制御部６５３は、状態情報に含まれる情報機器ＩＤに対応するゾーンＩＤを情報機器テーブル６５１１から取得し、取得したゾーンＩＤを状態情報に加える。情報機器制御部６５３は、ゾーンＩＤを含む状態情報を、通信部６５２を介してエネルギー管理サーバ３００へ送信する。情報機器制御部６５３がエネルギー管理サーバ３００へ状態情報を送信する場合、ネットワークＩ／Ｆ６５４から通信部６５２への状態情報の転送は行わなくてもよい。
【０１１９】
エネルギー管理サーバ３００において、通信部３１５は、情報機器管理サーバ６００から受信した状態情報を、データ処理部３１４へ転送する（ステップＳ２０５）。データ処理部３１４は、状態情報に基づいて、消費電力データベース３１２に記憶されている情報機器テーブル３１２２とゾーンテーブル３１２１とを更新する（ステップＳ２０６）。設備機器制御部３１６は、ゾーンテーブル３１２１に記憶されている設備機器４の消費電力を集計する（ステップＳ２０７）。設備機器制御部３１６による集計には、例えば、情報機器が使用されていないゾーンを消費電力に基づいて検出したり、ゾーンにおける消費電力における設備機器４の消費電力の割合をゾーンごとに算出したり、建物に係る設備機器４と情報機器との消費電力の比率を算出したりすることが含まれる。更に、設備機器制御部３１６による集計には、情報機器が使用されているか否かをテナントごとに判定すること、総消費電力における設備機器４の消費電力の割合をテナントごとに算出すること、設備機器４の消費電力と情報機器の消費電力との比率をテナントごとに算出することが含まれる。
【０１２０】
設備機器制御部３１６は、集計結果に基づいて、設備機器４に対する制御の要否をテナントごとに判定する（ステップＳ２０８）。例えば、設備機器制御部３１６は、あるテナントが使用するすべてのゾーンにおいて情報機器が使用されていない場合、そのゾーンにおいて動作している設備機器４の有無を判定する。このようなゾーンにおいて動作している設備機器４がある場合、設備機器制御部３１６は、停止又は運転レベルを下げる指示を含む制御情報を当該ゾーンにおいて動作している設備機器４へ送信する（ステップＳ２０９）。制御情報を受信した設備機器４は、動作状態を変更する（ステップＳ２１０）。
【０１２１】
ＰＣ６及び共用機器７などの情報機器が使用されていないゾーンとは、例えばＰＣ６及び共用機器７の消費電力の合計値が一定値以下であり、当該ゾーンを使用する人がいないと在不在情報に基づいて判断されるゾーンである。エネルギー管理サーバ３００は、情報機器管理サーバ６００により制御されるＰＣ６及び共用機器７の動作状態に基づいて、ゾーンにおける設備機器４を停止又は運転レベルを下げることで人の利便性を損なうことなく、消費電力を削減することができる。
【０１２２】
第２の実施形態の管理システムによれば、エネルギー管理サーバ３００が、建物における情報機器及び設備機器４それぞれが消費する電力を取得して記憶する。エネルギー管理サーバ３００が、建物に係る複数のゾーンごとに情報機器及び設備機器４それぞれの消費電力を集計するので、建物における消費電力の監視が可能になる。また、ゾーンごとの消費電力に基づいて、設備機器４により消費される電力を抑える制御をエネルギー管理サーバ３００が行うことにより、消費電力の削減が可能になる。
【０１２３】
なお、設備機器制御部３１６は、情報機器により消費される電力が一定値以上のテナントを検出し、検出したテナントが使用するゾーンにおける設備機器４により消費される電力を抑える制御を行ってもよい。この制御により、管理システムは、テナントごとに合計消費電力を抑えることができ、建物全体における消費電力を抑えることができる。
【０１２４】
また、データ処理部３１４は、検出結果テーブル３１１１及びテナントテーブル３１１３に基づいて人がいるゾーンを使用しているテナントを検出し、検出したテナントに属する情報機器に関する状態情報を情報機器管理サーバ６００へ要求してもよい。データ処理部３１４は、人がいるゾーンにおける情報機器の状態情報を取得して消費電力データベース３１２を更新することにより、情報機器の消費電力が高いと推定されるゾーンの消費電力の更新頻度を高めて、消費電力の監視におけるリアルタイム性を向上させることができる。
【０１２５】
また、情報機器テーブル３１２２における情報機器の履歴情報は、データ処理部３１４が状態情報に基づいて更新される構成について説明した。しかし、ＰＣ６及び共用機器７それぞれが自身の履歴情報を生成し、履歴情報を含む状態情報を情報機器管理サーバ６００及びエネルギー管理サーバ３００へ送信してもよい。ＰＣ６及び共用機器７の情報機器それぞれが履歴情報を生成する場合、情報機器は、動作状態に変更が生じる都度、変更後の動作状態と現在時刻とを組み合わせて記憶する。変更後の動作状態と現在時刻との組み合わせの時系列が、情報機器それぞれの履歴情報となる。
【０１２６】
また、第２の実施形態では、エネルギー管理サーバ３００において、各検出センサ３から得られた在不在情報をデータベース更新部３１３が検出結果テーブル３１１１へ記憶させ、検出結果テーブル３１１１に記憶されている情報をデータ処理部３１４が集計して得られたデータを情報機器管理サーバ６００へ送信する構成について説明した。しかし、エネルギー管理サーバ３００は、各検出センサ３から得られた在不在情報を情報機器管理サーバ６００へ送信してもよい。情報機器管理サーバ６００が在不在情報を受信する場合、検出センサ３を一意に識別するセンサＩＤと、当該検出センサ３が人の検出範囲に位置する情報機器の情報機器ＩＤとの組み合わせを記憶するセンサテーブルが情報機器データベース６５１に記憶されていてもよい。情報機器管理サーバ６００は、センサテーブルを備えることにより、在不在情報に基づいて情報機器を制御できる。
【０１２７】
第２の実施形態における管理システムは、エネルギー管理サーバ３００と情報機器管理サーバ６００との２つのサーバに代えて、１つの管理サーバ４００を備えてもよい。図３４は、第２の実施形態における管理システムの他の構成例を示す図である。管理サーバ４００は、建物内データベース３１１と、消費電力データベース３１２と、データベース更新部３１３と、データ処理部３１４と、通信部３１５と、設備機器制御部３１６と、電源部３１７と、情報機器データベース６５１と、情報機器制御部６５３と、ネットワークＩ／Ｆ６５４とを備える。エネルギー管理サーバ３００と情報機器管理サーバ６００とが一つのサーバとして構成されることにより、エネルギー管理サーバ３００と情報機器管理サーバ６００との間における通信を行う通信部６５２が省かれている。また、電源部６５５も省かれている。管理サーバ４００を用いることにより、エネルギー管理サーバ３００と情報機器管理サーバ６００とにより行われる処理を１つのサーバが行ってもよい。
【０１２８】
また、第１及び第２の実施形態では、ＰＣ６が属するゾーンを定める建物の領域の分割と、共用機器７が属するゾーンを定める建物の領域の分割とが同じ場合を説明した。しかし、ＰＣ６に対するゾーンの定め方と、共用機器７に対するゾーンの定め方とが異なっていてもよい。例えば、図５に示したゾーンの例において、各ＰＣ６がゾーンＡからゾーンＦのいずれかに属するのに対して、共用機器７がゾーンＡ及びＢを組み合わせたゾーンａ、ゾーンＣ及びＦを組み合わせたゾーンｂ、ゾーンＤ及びＥを組み合わせたゾーンｃのいずれかに属するようにしてもよい。例えば、共用機器７がゾーンＡ及びＢに属するＰＣ６により利用されるプリンタや複合機である場合、共用機器７がゾーンＡ及びＢに属するＰＣ６に接続されたネットワーク・スイッチである場合などに、このようなゾーンの定め方が有効である。
【０１２９】
以上説明した少なくともひとつの実施形態によれば、情報機器により消費される電力に関する第１の電力消費情報又は状態情報を取得するデータ処理部と、設備機器により消費される電力に関する第２の電力消費情報を取得する設備機器制御部と、第１及び第２の電力消費情報を記憶する消費電力データベースとを持つことにより、建物における消費エネルギーを監視することができる。
【０１３０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【図１】
2020167934.tif 000003
【図２】
2020167934.tif 000004
【図３】
2020167934.tif 000005
【図４】
2020167934.tif 000006
【図５】
2020167934.tif 000007
【図６】
2020167934.tif 000008
【図７】
2020167934.tif 000009
【図８】
2020167934.tif 000010
【図９】
2020167934.tif 000011
【図１０】
2020167934.tif 000012
【図１１】
2020167934.tif 000013
【図１２】
2020167934.tif 000014
【図１３】
2020167934.tif 000015
【図１４】
2020167934.tif 000016
【図１５】
2020167934.tif 000017
【図１６】
2020167934.tif 000018
【図１７】
2020167934.tif 000019
【図１８】
2020167934.tif 000020
【図１９】
2020167934.tif 000021
【図２０】
2020167934.tif 000022
【図２１】
2020167934.tif 000023
【図２２】
2020167934.tif 000024
【図２３】
2020167934.tif 000025
【図２４】
2020167934.tif 000026
【図２５】
2020167934.tif 000027
【図２６】
2020167934.tif 000028
【図２７】
2020167934.tif 000029
【図２８】
2020167934.tif 000030
【図２９】
2020167934.tif 000031
【図３０】
2020167934.tif 000032
【図３１】
2020167934.tif 000033
【図３２】
2020167934.tif 000034
【図３３】
2020167934.tif 000035
【図３４】
2020167934.tif 000036